(57)【特許請求の範囲】
【請求項１】
横桟を保持するための保持部と外面が筒状又は錐台状のブラケットからなる保持部材と、支柱の側面開口部内に挿入可能でありかつブラケットを内挿可能である内面が筒状又は錐台状の取付補助部材と、ブラケットを取付補助部材に内挿した状態で取り付け部材を介して支柱に固定するための固定ボルトからなる横桟取付金具であって、取付補助部材は上記の支柱側面開口部の壁面に接合可能であるとともに、ブラケットと取付補助部材はいずれも固定ボルトを水平方向に通す貫通孔又はねじ穴を備えた垂直壁を有することを特徴とする、防護柵の横桟取付金具。
【請求項２】
保持部とブラケットが一体に形成されている保持部材を用いることを特徴とする、請求項１に記載された防護柵の横桟取付金具。
【請求項３】
保持部とブラケットが接続部を介して接合されている保持部材を用いることを特徴とする、請求項１に記載された防護柵の横桟取付金具。
【請求項４】
保持部と接続部とブラケットのうち、少なくとも２つが一体に形成されている保持部材を用いることを特徴とする、請求項３に記載された防護柵の横桟取付金具。
【請求項５】
取付補助部材の内面形状とブラケットの外面形状とが適合していることを特徴とする、請求項１から４までのいずれかに記載された防護柵の横桟取付金具。
【請求項６】
ブラケットの外面及び取付補助部材の内面がいずれも円筒状の形状を有することを特徴とする、請求項５に記載された防護柵の横桟取付金具。
【請求項７】
ブラケットの外面及び取付補助部材の内面がいずれも円錐台状の形状を有することを特徴とする、請求項５に記載された防護柵の横桟取付金具。
【請求項８】
ブラケットの垂直壁と取付補助部材の垂直壁とが離間していることを特徴とする、請求項１から７までのいずれかに記載された防護柵の横桟取付金具。
【請求項９】
ブラケットの垂直壁と取付補助部材の垂直壁とが接触していることを特徴とする、請求項１から７までのいずれかに記載された防護柵の横桟取付金具。
【請求項１０】
ブラケットの垂直壁と取付補助部材の垂直壁とが、固定ボルトを通す貫通孔又はねじ穴を回転軸として回転可能に嵌合されることを特徴とする、請求項９に記載された防護柵の横桟取付金具。
【請求項１１】
保持部材の保持部にインナースリーブが設置されることを特徴とする、請求項１から１０までのいずれかに記載された防護柵の横桟取付金具。
【請求項１２】
隣接する支柱の間に１本又は２本以上の横桟を取り付けて形成される防護柵であって、横桟のうち少なくとも１本の横桟が、請求項１から１１までのいずれかに記載の横桟取付金具によって支柱に取り付けられ、固定ボルトによって固定されていることを特徴とする防護柵。
【発明の詳細な説明】
【技術分野】
【０００１】
本発明は、車道と歩道との境界等に設置される防護柵の支柱に横桟を取り付ける横桟取付金具及びそれを用いた防護柵に関するものである。
【背景技術】
【０００２】
車道と歩道との境界等に設置される防護柵は、隣接する支柱の間に、長尺の鋼管などからなる横桟の１本又は複数本を、隣接する支柱の間に取り付けることにより、車両の走行から歩行者等を保護している。
【０００３】
しかしながら、横桟又は横桟取付金具に車両が衝突したときに、横桟取付金具が変形または破壊され易い。また、横桟取付金具を支柱に固定するための固定ボルトの頭の部分又はナットが支柱の歩道側に突出するため、その突出部分に衣服等が引っ掛かり破損するおそれがあるとともに、外観もよくない。
【０００４】
そのため、支柱の歩道側に突出物を出さないようにした構造のものが、次の(i)〜(iv)に示すように、種々提案されている。
【０００５】
(i)特許文献１には、断面がほぼ半円筒状のパイプカバーと、断面がほぼ半円筒状の取付具本体からなる取付金具が記載されている。ここでは、パイプカバーと取付具本体とで２本のビームパイプの端部を縦方向のボルトで挟持し、取付具本体に貫通する雌ねじに支柱を貫通する横方向の支柱取付ボルトを横桟の反対側の支柱の外面から螺合し、横桟を支柱に取り付ける構造となっている。
【０００６】
(ii)特許文献２には、下金具、上金具および座金からなる横桟取付金具が記載されている。ここでは、下金具には横桟を支持する受け部とナットを回り止めする保持部を有する下側取付壁が設けられ、上金具には上側取付壁が設けられている。そして、下金具と上金具とで横桟を挟持し、下金具の下側取付壁、上金具の上側取付壁および座金とを貫通する横方向の支柱取付ボルトを横桟の反対側の支柱の外面から螺合し、横桟を支柱に取り付ける構造となっている。
【０００７】
(iii)特許文献３には、支柱に対して車道側の半円筒状の管部、支柱側の半円筒状の管部、円形支柱の外面に当接する第１補助部材、円形支柱の内面に当接する第２補助部材からなる横桟取付け用金具が記載されている。ここでは、支柱側の半円筒状の管部の長手方向中央部には中心に貫通孔を有するボス部が設けられ、第１補助部材、第２補助部材および円形支柱の車道側のそれぞれに貫通孔が設けられている。そして、支柱内側からボルトを挿入し、支柱側の半円筒状の管部の内面側にナットを螺合することによって、横桟が支柱に取り付けられる。
【０００８】
(iv)特許文献４には、円筒支柱の内面に鍔状に止まるストッパー部および支柱の外面に突き出るスリーブを有する目隠しナットが記載されている。そして、この目隠しナットをスリーブの雄ネジ部へ固定ナットを締め付けて固定し、スリーブの雌ねじ部にワンサイドボルトをねじ込むことによって、ガードパイプ等が直接または間接的にネジ止めされている。
【０００９】
【特許文献１】特開平７−２９２６３２号公報
【特許文献２】特開平１０−８８５３７号公報
【特許文献３】実用新案登録第３０１１７０１号公報
【特許文献４】特開２０００−２７１３４号公報
【発明の開示】
【発明が解決しようとする課題】
【００１０】
上記の特許文献１〜４では、支柱の歩道側への突出を押さえた構造の取付金具が提案されている。
【００１１】
しかしながら、これらの特許文献に開示された提案では、横桟保持部が上下又は前後方向に二分割されているので、車両が衝突したとき変形または破壊され易い。また、ワンサイドボルトを使用すると、支柱への取付部分の部品数が多く複雑となる。
【００１２】
本発明の目的は、支柱取付ボルトが支柱の歩道側に突き出ることがなく、しかも、車両が衝突しても変形しにくい、防護柵の横桟取付金具及びそれを用いた防護柵を提供することにある。
【課題を解決するための手段】
【００１３】
本発明者らは、横桟取付金具の形状及び横桟取付金具を支柱に取り付けるための固定ボルトの形状を種々に検討した結果、次の(a)〜(p)に示す知見を得て本発明を完成した。
【００１４】
(a) 横桟又は横桟取付金具に車両が衝突したときに、横桟取付金具が変形または破壊され難くするためには、横桟取付金具をできるだけ支柱内に収容するのがよい。
【００１５】
(b) 横桟又は横桟取付金具に車両が衝突したときに、その荷重を固定ボルトの径のみで受け止めるのではなく、横桟取付金具全体又は支柱全体で受け止めるのがよい。そのためにも、横桟取付金具をできるだけ支柱内に収容するのがよい。
【００１６】
(c) 横桟取付金具を支柱内に収容するためには、横桟を保持する保持部材側の支柱の側面に開口部を形成すればよい。
【００１７】
(d) 横桟取付金具をできるだけ支柱内に収容するためには、支柱の外部に設置する保持部と支柱の側面開口部内に挿入可能なブラケットから保持部材を構成するのがよい。保持部とブラケットは別個に形成してから接合してもよいし、一体に形成してもよい。保持部の位置よりも下方でブラケットを支柱内に収容したいときには、保持部とブラケットの間に接続部を介してもよい。接続部を介するとき、別個に形成してから接合してもよいし、一体に形成してもよい。
【００１８】
(e) 支柱の側面開口部内に挿入するブラケットを支柱内に挿入しかつ固定できるようにするためには、内面が筒状又は錐台状の取付補助部材を支柱の側面に形成した開口部の壁面に接合しておき、この取付補助部材に外面が筒状又は錐台状のブラケットを内挿し、固定ボルトによってブラケットを取付補助部材を介して支柱に固定すればよい。このとき、固定ボルトの全体を支柱内に収容すれば、固定ボルトが支柱の歩道側に突き出ることはない。すなわち、横桟取付金具を支柱に取り付けるためのボルトが支柱の歩道側に突き出ないようにすることができる。
【００１９】
(f) ブラケットを取付補助部材に内挿した状態で固定ボルトによってブラケットを取付補助部材を介して支柱に固定するためには、ブラケットと取付補助部材の両方に固定ボルトを水平方向に通す貫通孔又はねじ穴を備えた垂直壁を設けて、この２つの垂直壁を固定ボルトで固定すればよい。このとき、ブラケット挿入用の開口部とは反対側の支柱の側面にボルト固定操作用の開口部を形成しておけば、ブラケットを取付補助部材に内挿した状態で、固定ボルトの締め付け操作ができるから、ブラケットを取付補助部材を介して支柱に固定することができる。なお、垂直壁は、取付補助部材の筒部又は錐台部とは別個に形成してから接合してもよいし、一体に形成してもよい。
【００２０】
(g) このようにすれば、固定ボルトの全体を支柱内に収容することができる。ボルトを固定するためにナットを用いることがあるが、このときに用いるナットも含めて、固定ボルトの全体を支柱内に収容することができる。なお、ブラケットの垂直壁と取付補助部材の垂直壁を固定ボルトで固定するとき、垂直壁同士は接触していてもよいし、離間していてもよい。
【００２１】
(h) 保持部とブラケットの間に接続部を介してなる保持部材を用いた場合には、保持部の位置よりも下方でブラケットを支柱内に収容することができる。したがって、ブラケット挿入用の支柱開口部からブラケット固定ボルトの固定操作ができるように設計することもできる。このときには、ブラケット挿入用の支柱開口部がボルト固定操作用の開口部を兼ねることができるから、ことさらに、支柱側面にボルト固定操作用の開口部を形成しなくてもよい。
【００２２】
(i) 固定ボルトの頭は取付補助部材側とブラケット側のいずれに位置してもよい。ボルトの先は、ねじ穴に差し込んでもよいし、貫通孔に差し込んでもよい。ただし、雌ねじが切っていない貫通孔に差し込むときは、ボルトを固定するためのナットが必要となる。雌ねじが切ってある貫通孔に差し込むときは、ボルトを固定するためのナットを用いてもよいし、ナットを用いることを省略することもできる。
【００２３】
(j) 取付補助部材の内面形状とブラケットの外面形状を適合させると、横桟又は横桟取付金具に車両が衝突したときに、その荷重を取付補助部材とブラケットの全体で堅固に受け止めることができる。
【００２４】
(k) 取付補助部材の内面とブラケットの外面の断面形状をともに円形にすると、ブラケットを支柱内に接合した取付補助部材に内挿した後も、固定ボルトを通す貫通孔又はねじ穴を回転軸としてブラケットを支柱に対して回転可能にすることができ、もって支柱に対する横桟の取付角度が自在となる。このとき、垂直壁同士は接触していてもよいし、離間していてもよい。
【００２５】
(l) なお、ブラケットの垂直壁と取付補助部材の垂直壁とが回転可能に嵌合するのが好ましい。取付補助部材とブラケットの垂直壁を嵌合させると、横桟又は横桟取付金具に車両が衝突したときに、その荷重を取付補助部材とブラケットの全体でさらに堅固に受け止めることができる。
【００２６】
(m) 横桟の端部を保持して固定するためには、保持部にボルトの挿入孔を設け、横桟の端部を保持部に固定させればよい。保持部の内面形状としては、横桟の端部の外面形状に適合させれば、横桟の端部を保持部に確実に固定することができる。たとえば、横桟の端部が円筒形の場合には保持部内面の形状は円筒状とすればよく、また、横桟の端部の断面形状が矩形の場合には保持部内面の断面形状は矩形とすればよい。なお、保持部の内面で横桟の端部のほぼ全周を取り巻くようにすると、確実に固定することができる。
【００２７】
(n) 横桟の端部を保持部によって直接保持する代わりに、インナースリーブを設置して横桟の端部を保持部に固定してもよい。インナースリーブは、保持部に直接に内接させて設置する場合と、横桟の端部を介して内接させて設置する場合とがある。
【００２８】
(o) インナースリーブを保持部に直接に内接させて設置する場合には、保持部の長さよりも長いインナースリーブを用意し、インナースリーブを保持部に直接に内接させて固定した後に、保持部の両端よりはみ出したインナースリーブの両端部のそれぞれに、横桟の片端部を外挿させて用いる。このとき、横桟の外径と保持部の外径を同じにすれば、横桟と保持部が同一外径で一直線上に配置されるので、すっきりした外観の防護柵が得られる。
【００２９】
(p) インナースリーブを横桟の端部を介して保持部に内接させて設置する場合には、インナースリーブの長さは保持部の長さよりも長くてもよいが、少々短くても構わない。インナースリーブの両端部のそれぞれに、横桟の端部を外挿させたものを保持部に内接させ、インナースリーブと横桟の両端部を保持部の内面に固定して用いる。このときは、保持部の内面で横桟の端部のほぼ全周を取り巻くような断面形状でなくてもよく、その一部が適合する形状であってもよいから、保持部の形状の自由度が大きくなる。たとえば、横桟の端部が円筒形の場合には、保持部の内面形状は円筒を縦に半分に割って得られるような半円筒形状でもよいし、４分の１に割って得られるような四半円筒形でもよい。このとき、保持部の形状を小さくできるので、横桟が一直線上に配置され、すっきりした外観の防護柵が得られる。
【００３０】
本発明は、次の(1)〜(11)に示す防護柵の横桟取付金具と、次の(12)に示す防護柵を要旨とする。以下、(1)〜(12)にかかる発明を総称して本発明ということがある。
【００３１】
(1) 横桟を保持するための保持部と外面が筒状又は錐台状のブラケットからなる保持部材と、支柱の側面開口部内に挿入可能でありかつブラケットを内挿可能である内面が筒状又は錐台状の取付補助部材と、ブラケットを取付補助部材に内挿した状態で取り付け部材を介して支柱に固定するための固定ボルトからなる横桟取付金具であって、取付補助部材は上記の支柱側面開口部の壁面に接合可能であるとともに、ブラケットと取付補助部材はいずれも固定ボルトを水平方向に通す貫通孔又はねじ穴を備えた垂直壁を有することを特徴とする、防護柵の横桟取付金具。
【００３２】
(2) 保持部とブラケットが一体に形成されている保持部材を用いることを特徴とする、上記(1)の防護柵の横桟取付金具。
【００３３】
(3) 保持部とブラケットが接続部を介して接合されている保持部材を用いることを特徴とする、上記(1)の防護柵の横桟取付金具。
【００３４】
(4) 保持部と接続部とブラケットのうち、少なくとも２つが一体に形成されていることを特徴とする、上記(3)の防護柵の横桟取付金具。
【００３５】
(5) 取付補助部材の内面形状とブラケットの外面形状とが適合していることを特徴とする、上記(1)〜(4)の防護柵の横桟取付金具。
【００３６】
(6) ブラケットの外面及び取付補助部材の内面がいずれも円筒状の形状を有することを特徴とする、上記(5)の防護柵の横桟取付金具。
【００３７】
(7) ブラケットの外面及び取付補助部材の内面がいずれも円錐台状の形状を有することを特徴とする、上記(5)の防護柵の横桟取付金具。
【００３８】
(8) ブラケットの垂直壁と取付補助部材の垂直壁とが離間していることを特徴とする、上記(1)〜(7)の防護柵の横桟取付金具。
【００３９】
(9) ブラケットの垂直壁と取付補助部材の垂直壁とが接触していることを特徴とする、上記(1)〜(7)の防護柵の横桟取付金具。
【００４０】
(10) ブラケットの垂直壁と取付補助部材の垂直壁とが、固定ボルトを通す貫通孔又はねじ穴を回転軸として回転可能に嵌合されることを特徴とする、上記(9)の防護柵の横桟取付金具。
【００４１】
(11) 保持部材の保持部にインナースリーブが設置されることを特徴とする、上記(1)〜(10)の防護柵の横桟取付金具。
【００４２】
(12) 隣接する支柱の間に１本又は２本以上の横桟を取り付けて形成される防護柵であって、横桟のうち少なくとも１本の横桟が、上記(1)〜(11)の横桟取付金具によって支柱に取り付けられ、固定ボルトによって固定されていることを特徴とする防護柵。
【発明の効果】
【００４３】
本発明によれば、取付ボルトが支柱の歩道側に突き出ることがなく、しかも、車両が衝突しても変形しにくい横桟取付金具及びそれを用いた防護柵を提供することができる。
【００４４】
また、ブラケットの外面が円筒状又は円錐台状の形状を有する場合には、道路の勾配にあわせて支柱への取付角度を調整することができるので、支柱への取付作業が容易な横桟取付金具及びそれを用いた防護柵を提供することができる。この場合、支柱への取付角度を調整しても、同じ形状の横桟取付金具を用いることができるため、特別な形状の横桟取付金具を別途用意する必要がないという利点がある。
【発明を実施するための最良の形態】
【００４５】
以下に、本発明に係る横桟取付金具に用いる保持部材と取付補助部材、そして、取付補助部材を介して保持部材を支柱に取り付けるための固定ボルトについて説明する。また、保持部材の保持部に横桟の端部を直接に又はインナースリーブを設置して保持し、支柱に取り付けることで得られる防護柵についても説明する。
【００４６】
Ａ．保持部材について
本発明に係る横桟取付金具の一部をなす保持部材は、横桟を保持するための保持部と、外面が筒状又は錐台状のブラケットからなり、ブラケットは固定ボルトを水平方向に通す貫通孔又はねじ穴を備えた垂直壁を有するものである。そして、ブラケットは、後述する取付補助部材に内挿され、ブラケットが取付補助部材に内挿された状態で、ブラケットと取付補助部材を固定ボルトによって固定することで、ブラケットは取付補助部材を介して支柱に固定される。
【００４７】
保持部の内面形状は内面が横桟の端部を直接に又はインナースリーブを介して保持して固定できる形状であればよい。なお、保持部の外面形状の制限はない。
【００４８】
そして、ブラケットの外面形状は、取付補助部材に内挿することができる筒状又は錐台状の形状を有しておればよい。たとえば、円筒状や矩形状の筒状や、円錐台状や角錐台状の錐台状が挙げられる。なお、ブラケットの内面は、ブラケットと取付補助部材を固定する固定ボルト又はナットを設置できるだけの空間があればよく、ブラケットの内面は中空でも中実でもよい。ブラケットの内面を中空とする場合の内面形状は特に制限はなく、たとえば、円錐台状や角錐台状の錐台状、円筒状や矩形筒状の筒状などを挙げることができる。
【００４９】
保持部材の材質は、保持部、ブラケットとも、特に限定されるものではないが、アルミニウム、炭素鋼、ステンレス鋼等の金属の他にポリエステル等のプラスチックスを用いることができる。また、保持部とブラケットは、一体に形成してもよいし、別々に形成して、溶接やボルトナット等により接合してもよい。保持部とブラケットが一体に形成されると、車両が防護柵に衝突して保持部とブラケットに応力がかかっても変形しにくくなる。
【００５０】
保持部の位置よりも下方でブラケットを支柱内に収容したいときには、保持部とブラケットの間に接続部を介してもよい。接続部を介するときも、別個に形成してから接合してもよいし、一体に形成してもよい。
【００５１】
Ｂ．取付補助部材について
本発明に係る横桟取付金具の一部をなす取付補助部材は、支柱の車道側の側面の開口部に挿入可能な内面が筒状又は錐台状の部材であり、この開口部の壁面に接合可能であるとともに、固定ボルトを水平方向に通す貫通孔又はねじ穴を備えた垂直壁を有する。そして、取付補助部材は、保持部材を構成するブラケットを内挿することができるものであり、ブラケットを内挿した状態で、固定ボルトによってブラケットを支柱に固定する。
【００５２】
なお、保持部とブラケットの間に接続部を介してなる保持部材を用いた場合には、保持部の位置よりも下方でブラケットを支柱内に収容することができるので、ブラケット挿入用の支柱開口部からブラケット固定ボルトの固定操作ができるように設計することもできる。このときには、ブラケット挿入用の支柱開口部がボルト固定操作用の開口部を兼ねることができるから、ことさらに、支柱側面にボルト固定操作用の開口部を形成しなくてもよい。
【００５３】
取付補助部材の材質は、特に限定されるものではないが、アルミニウム、炭素鋼、ステンレス鋼等の金属の他にポリエステル等のプラスチックスを用いることができる。
【００５４】
取付補助部材の内面形状は、ブラケットを支柱側面に設けられた開口部から支柱に内挿することができる筒状又は錐台状の形状を有しておればよい。たとえば、円筒状や矩形状の筒状や、円錐台状や角錐台状の錐台状が挙げられる。そして、取付補助部材の外面形状は、特に制限はなく、たとえば、円筒状や矩形筒状の筒状、円錐台状や角錐台状の錐台状などを挙げることができる。
【００５５】
そして、取付補助部材は、内挿するブラケットを収容できるだけの長さを有する必要がある。取付補助部材は、内挿するブラケットの長さより長くても構わないが、支柱の車道側の側面の開口部の壁面に取付補助部材の端部を接合させる必要があるために、この支柱側面に設けられた開口部の奥行きを超えることはできない。
【００５６】
取付補助部材の端部を、支柱に形成した開口部の壁面に接合する方法としては、特に制限はなく、溶接、はめ殺し、ネジ止め、接着等を用いることができる。溶接は、たとえば、開口部の壁面の開口端又は内壁面の全周又はスポット溶接により行うことができる。はめ殺しは、たとえば、支柱を外力により弾性変形させた状態で取付補助部材を開口部に挿入した後に外力を外す、あるいは、取付補助部材の一部を外力により弾性変形させた状態で取付補助部材を開口部に挿入した後に外力を外すと、元の形に復元して、取付補助部材が開口部にはめこまれたままになる。このとき、接着剤を併用するのが好ましい。
【００５７】
Ｃ．取付補助部材へのブラケットの内挿について
支柱に形成した開口部の壁面に接合される取付補助部材には、ブラケットが内挿される。
【００５８】
ブラケットの外面形状と取付補助部材の内面形状とを適合させると、横桟又は横桟取付金具に車両が衝突したときに、その荷重を取付補助部材とブラケットの全体で堅固に受け止めることができる。このとき、ブラケットの外面形状と横桟取付金具の内面形状を円筒状又は円錐台状にすると、ブラケットを支柱内に接合された取付補助部材に内挿した後も、固定ボルトを通す貫通孔又はねじ穴を回転軸としてブラケットを支柱に対して回転可能にすることができ、横桟の取付角度が自在となる。このとき、垂直壁同士は接触していてもよいし、離間していてもよい。
【００５９】
ブラケットを支柱内に接合した取付補助部材に内挿した後に、ブラケットと取付補助部材は、それぞれに設けられる垂直壁同士が固定ボルトで固定される。
【００６０】
また、ブラケットの垂直壁と取付補助部材の垂直壁とを回転可能に嵌合させると、横桟又は横桟取付金具に車両が衝突したときに、その荷重を取付補助部材とブラケットの全体でさらに堅固に受け止めることができる。
【００６１】
Ｄ．保持部材を支柱に取り付けるための固定ボルトについて
本発明に係る保持部材を支柱に取り付けるための固定ボルトは、ブラケットを支柱内に接合した取付補助部材に内挿した状態で、ブラケットを取付補助部材に固定するものである。ブラケットと取付補助部材は、いずれも貫通孔又はねじ穴を備えた垂直壁を有していて、この貫通孔又はねじ穴に固定ボルトを水平方向に通した後に固定ボルトを締め付けることによって、ブラケットを取付補助部材に固定する。このとき、垂直壁同士は接触していてもよいし、離間していてもよい。
【００６２】
固定ボルトの頭は車道側と歩道側のいずれに位置してもよい。ボルトの先は、ねじ穴に差し込んでもよいし、貫通孔に差し込んでもよい。ただし、雌ねじが切っていない貫通孔に差し込むときは、ボルトを固定するためのナットが必要となる。雌ねじが切ってある貫通孔に差し込むときは、ナットを用いることを省略することができるが、ナットを併用してもよい。ボルトを固定するためにナットを用いることがあるが、このときに用いるナットも含めて、固定ボルトの全体を支柱内に収容することができる。
【００６３】
また、固定ボルトの頭の形状は、特に制限されない。たとえば、外面が六角形、四角形、丸形等の形状を有するボルトを用いることができる。また、頭の外面が円筒形の円筒ボルト（頭を凹ませてその中を六角形や四角形の断面とするもの）を用いれば、支柱の側面に設けるボルト固定用開口部の径を小さくすることができる。
【００６４】
Ｅ．保持部材の保持部への横桟の取付について
本発明にかかる保持部材の保持部に横桟の端部を保持する際には、直接に保持してもよいし、インナースリーブを設置して保持してもよい。
【００６５】
インナースリーブを用いないで直接に横桟の端部を保持部に固定するとき、保持部の内面形状を横桟の端部の外面形状に適合させれば、横桟の端部を保持部に確実に固定することができる。たとえば、横桟の端部が円筒形の場合には保持部内面形状は円筒状とすればよく、また、横桟の端部の断面形状が矩形の場合には保持部内面の断面形状は矩形とすればよい。なお、保持部の内面で横桟の端部のほぼ全周を取り巻くようにすると、確実に固定することができる。このとき、横桟の端部の外径は、保持部の内径と同じになる。
【００６６】
保持部材の保持部への横桟の取付は次の手順で行うことができる。すなわち、予め横桟の端部を保持部の端部の一方に挿入し、横桟固定用ボルトと横桟固定用ナットで固定しておいてから、取付補助部材を介してブラケットを支柱にブラケット固定ボルトで固定しても良いし、若しくは、予め保持部の端部の両方に挿入し、固定しておいてから取付補助部材を介してブラケットを支柱に固定しても良い。又は、取付補助部材を介してブラケットを支柱に固定してから、横桟の端部を保持部の端部に挿入し、横桟固定用ボルト固定してもよい。
【００６７】
このようにして、本発明に係る保持部材と取付補助部材と固定ボルトを用いて、１本又は２本以上の横桟を複数の支柱に取り付けると、防護柵が得られる。この防護柵においては、固定ボルトが支柱内に収容されるから、支柱に取り付けるための固定ボルトが歩道側に突き出ることがなく、すっきりした外観が得られる。特に、外面が円筒状又は円錐台状のブラケットと内面が円筒状又は円錐台状の取付補助部材を用いる場合には、支柱に対してブラケットを回転可能に取り付けることができるので、横桟の取付角度が自在となる。したがって、勾配のある道路においても、支柱への取付作業が容易であるとともに、すっきりした外観の防護柵が得られる。
【００６８】
他方、インナースリーブを設置して横桟の端部を保持部に固定するときには、インナースリーブは、保持部に直接に内接させて設置する場合と、横桟の端部を介して内接させて設置する場合とがある。
【００６９】
インナースリーブは円筒形状を有し、インナースリーブを保持部材の保持部に固定するためと、横桟の端部をインナースリーブに固定するために、ボルト挿入孔が設けられる。インナースリーブに設けられたボルト挿入孔には、雌ねじが切ってあるか、または雌ねじを切る代わりに、ナットが溶接等でインナースリーブの内面に接合されている。雌ねじを切った上で、ナットも併用しても構わない。
【００７０】
インナースリーブを保持部に直接に内接させて設置する場合には、保持部の長さよりも長いインナースリーブを用意し、インナースリーブを保持部に内接させ固定した後に、保持部の両端よりはみ出したインナースリーブの両端部のそれぞれに、横桟の片端部を外挿させて用いる。このときのインナースリーブは、インナースリーブを保持部材の保持部に固定するためのボルト挿入孔と、横桟の端部をインナースリーブに固定するためのボルト挿入孔が、別々に必要となるので、ボルト挿入孔は少なくとも３個所必要となる。なお、横桟の外径と保持部の外径を同じにすれば、横桟と保持部が同一外径で一直線上に配置されるので、すっきりした外観の防護柵が得られる。
【００７１】
インナースリーブを保持部に直接に内接して設置する場合の取付手順は、次のとおりである。まず、保持部には少なくとも１個所にボルト挿入孔が穿たれたものを用意しておく。そして、予め横桟の端部をインナースリーブの片端部に外挿しインナースリーブの横桟固定ボルトでインナースリーブと横桟の端部を固定しておいてから、保持部の横桟固定ボルトで固定しても良いし、若しくは、予めインナースリーブの両端部に横桟の端部を外挿し、インナースリーブの横桟固定ボルトでインナースリーブと横桟の端部を固定しておいてから、保持部の横桟固定ボルトで固定しても良い。又は、インナースリーブを保持部に内接して保持部の横桟固定ボルトで固定してから、横桟の端部をインナースリーブの片端部又は両端部に外挿しインナースリーブの横桟固定ボルトで固定してもよい。
【００７２】
これに対して、インナースリーブを横桟の端部を介して内接させて設置する場合には、インナースリーブの長さは保持部の長さよりも長いものが好ましいが、少々短くても構わない。インナースリーブの両端部のそれぞれに横桟の端部を外挿させてから、２つの横桟の端部を１つの保持部に内接させる。すなわち、インナースリーブは、横桟の両端部を介して保持部に内接させることになる。このときのインナースリーブは、インナースリーブを保持部材の保持部に固定するためのボルト挿入孔と、横桟の端部をインナースリーブに固定するためのボルト挿入孔を兼ねることができるので、インナースリーブに穿たれるボルト挿入孔は２個所でよい。もちろん、横桟の端部をインナースリーブに固定するためのボルト挿入孔を別途設けてもよい。なお、横桟の端部の外径は保持部の内径と同じになり、インナースリーブの外径は横桟の端部の内径と同じになる。
【００７３】
インナースリーブを横桟の端部を介して保持部に内接して設置する場合の取付手順は、次のとおりである。まず、保持部には２個所にボルト挿入孔が穿たれたものを用意しておく。そして、インナースリーブの端部の一方を横桟の端部に内挿する。このとき、インナースリーブに穿たれた固定ボルト挿入孔と、横桟の端部に穿たれた固定ボルト挿入孔とを位置合わせをする。この位置合わせをしたまま、インナースリーブの端部を内挿した横桟の端部を保持部に内接させる。このとき、保持部に穿たれた固定ボルト挿入孔とも位置合わせをする。そして、保持部と横桟の端部とインナースリーブの３つの固定ボルト挿入孔に保持部の横桟固定ボルトを通す。その後、インナースリーブの反対側の端部に横桟の端部を外挿する。同じように位置合わせをした保持部と横桟の端部とインナースリーブの３つの固定ボルト挿入孔に保持部の横桟固定ボルトを通す。その後、保持部の２個所のボルト挿入孔に通された横桟固定ボルトを締め付けることによって固定する。
【００７４】
なお、インナースリーブを横桟の端部を介して保持部に内接して設置する場合の保持部の内面形状としては、保持部の内面で横桟の端部のほぼ全周を取り巻くような形状でなく、その一部が適合する形状であってもよい。たとえば、横桟の端部が円筒形の場合には、保持部の内面形状は円筒を縦に半分に割って得られるような半円筒形状でもよいし、４分の１に割って得られるような四半円筒形でもよい。このとき、保持部の形状を小さくできるので、横桟が一直線上に配置され、すっきりした外観の防護柵が得られる。
【００７５】
なお、支柱の側面に形成する開口部の形状については、車道側の開口部は取付補助部材を挿入できる形状を有していればよいが、取付補助部材の外面形状と適合させるのが好ましい。たとえば、円形や矩形を挙げることができる。そして、歩道側の開口部はブラケットを取付補助部材を介して支柱に固定するためのブラケット固定ボルト又はそのナットを固定する操作が可能であればよく、たとえば、円形や矩形を挙げることができる。ただし
保持部とブラケットの間に接続部を介してなる保持部材を用いた場合には、ブラケット挿入用の支柱開口部からブラケット固定ボルトの固定操作ができるように設計することもできるので、歩道側の開口部を支柱に形成しなくても済むことがある。
【００７６】
また、２本以上の横桟を１本の支柱に取り付けるときに、インナースリーブの有無に関わりなく、横桟を保持する保持部材と取付補助部材は、上下で同じ保持部材と取付補助部材を用いてもよいし、上下で異なる部材を用いてもよい。
【００７７】
本発明に係る横桟取付金具及びそれを用いた防護柵について、以下に、図面を用いて、説明する。
【実施例１】
【００７８】
図１に、本発明に係る横桟取付金具に用いる保持部材の一例を示す。(a)は正面図、(b)は(a)のＡ−Ａ断面図（右側面図）、(c)は(a)のＢ−Ｂ断面図（上面図）、(d)は背面図である。
【００７９】
この保持部材１は、側面の長さ方向にスリットが形成された円筒状の保持部１１と、この円筒状の保持部１１のスリットとは反対側の側面に円形の開口部を形成し、この開口部に円筒状のブラケット１２を直角に接続した形状を有する。ここで、保持部１１は長手方向の両端部近傍の上部と底部に、それぞれ横桟固定用ボルト挿入孔２１を有している。ブラケット１２は、その端部に垂直壁２２を有し、この垂直壁２２には固定ボルトを通す貫通孔２３が設けられている。
【００８０】
図２に、本発明に係る横桟取付金具に用いる取付補助部材の一例を示す。(a)は正面図、(b)は(a)のＡ−Ａ断面図（右側面図）、(c)は(a)のＢ−Ｂ断面図（上面図）、(d)は背面図である。
【００８１】
この取付補助部材１３は、筒部１４と垂直壁２４からなる。ここでは、筒部１４は内外面とも円筒状の形状を有し、ブラケットを内挿できるだけの内径を有している。取付補助部材の垂直壁２４は、ブラケットを内挿する端側とは反対側の端部に設けられ、この垂直壁２４には固定ボルトを通す貫通孔２５が設けられている。
【００８２】
図３に、上記の保持部材１と取付補助部材１３を用いて、固定ボルトにより、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【００８３】
支柱２には、車道側の側面に円形の開口部９が、そして、この開口部とは反対側、すなわち、歩道側の側面に円形の開口部１０が、それぞれ、形成されている。車道側の側面に形成された円形の開口部９に、円筒状の取付補助部材を挿入し、車道側の側面に形成された開口部９の壁面に取付補助部材の筒部１４の端部を溶接等で接合する。
【００８４】
そして、垂直壁２２にブラケット固定用のナット５を接合しておいたブラケット１２を、支柱の開口部の壁面に接合されている取付補助部材の筒部１４に内挿する。その後、歩道側の支柱の側面の開口部１０から、取付補助部材の垂直壁２４の貫通孔とブラケットの垂直壁２２の貫通孔にブラケット固定ボルト４を水平方向に通し、ブラケット固定ナット５との間で締め付けることで、取付補助部材を介してブラケット１２を支柱２に固定する。
【００８５】
なお、保持部材の保持部１１への横桟３の取付手順は、次のとおりである。まず、保持部１１に水平方向から横桟３の端部を挿入し、横桟３の両端部近傍の上部と下部に設けられた横桟固定用ボルト挿入孔（図示せず）と、保持部１１に設けられた横桟固定用ボルト挿入孔２１の位置合わせをした後に、上下に横桟固定用ボルト６を挿入し横桟固定用ナット７で締め付け、固定する。
【００８６】
図４は、図３に示す保持部材１１と取付補助部材１３と固定ボルト４を用いて、上下に２本の横桟を複数の支柱に取り付けて得られた防護柵（支柱の一部は地中に埋められている）を車道側から眺めた図である。すっきりした外観が得られることが分かる。ここでは、横桟の本数として上下２本を取り付けた例を示したが、横桟の本数を増減しても、すっきりした外観が得られる。
【００８７】
図５は、図４に示す防護柵を、勾配のある道路において、設置した防護柵（支柱の一部は地中に埋められている）の状態を示す。支柱にブラケットを取り付ける際にブラケットは支柱に対して回転可能であるので、横桟の支柱への取付角度が自在となる。したがって、勾配のある道路においても、支柱への取付作業が容易であるとともに、すっきりした外観の防護柵が得られることが分かる。
【００８８】
さらに、この実施例では、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、ナットを含めて支柱内に収容されるから、支柱の歩道側に突き出ることはない。
【実施例２】
【００８９】
図６に、本発明に係る横桟取付金具に用いる保持部材の他の一例を示す。(a)は正面図、(b)は(a)のＡ−Ａ断面図（右側面図）、(c)は(a)のＢ−Ｂ断面図（上面図）、(d)は背面図である。
【００９０】
この保持部材１は、ブラケット１２の筒が長くなっている点とブラケット１２の垂直壁の貫通孔２３に雌ねじが切ってある点を除いて、実施例１の図１に示した保持部材と同じである。
【００９１】
すなわち、この保持部材１は、側面の長さ方向にスリットが形成された円筒状の保持部１１と、この円筒状の保持部１１のスリットとは反対側の側面に円形の開口部を形成し、この開口部に円筒状のブラケット１２を直角に接続した形状を有する。ここで、保持部１１は長手方向の両端部近傍の上部と底部に、それぞれ横桟固定用ボルト挿入孔２１を有している。ブラケット１２は、その端部に垂直壁２２を有し、この垂直壁２２には固定ボルトを通す貫通孔２３が雌ねじを切られて設けられている。なお、ブラケット１２の筒が長くなっているのは、ブラケットを取付補助部材に内挿させたときに、ブラケットの垂直壁２２と取付補助部材の垂直壁を接触させるためである。
【００９２】
図７に、本発明に係る横桟取付金具に用いる取付補助部材の他の一例を示す。(a)は正面図、(b)は(a)のＡ−Ａ断面図（右側面図）、(c)は(a)のＢ−Ｂ断面図（上面図）、(d)は背面図である。
【００９３】
この取付補助部材１３は、筒部１４が短くなっている点を除いて、実施例１の図２に示した取付補助部材と同じである。
【００９４】
すなわち、この取付補助部材１３は筒部１４と垂直壁２４からなる。ここでは、筒部１４は内外面とも円筒状の形状を有し、ブラケットを内挿できるだけの内径を有している。取付補助部材の垂直壁２４は、ブラケットを内挿する端側とは反対側の端部に設けられ、この垂直壁２４には固定ボルトを通す貫通孔２５が設けられている。
【００９５】
図８に、図６に示す保持部材１と図７に示す取付補助部材１３を用いて、固定ボルトにより、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【００９６】
支柱２には、車道側の側面に円形の開口部９が、そして、この開口部とは反対側、すなわち、歩道側の側面に矩形の開口部１０が、それぞれ、形成されている。車道側の側面に形成された円形の開口部９に、円筒状の取付補助部材を挿入し、車道側の側面に形成された開口部９の壁面に取付補助部材の筒部１４の端部を溶接等で接合する。
【００９７】
そして、ブラケット１２を支柱の開口部の壁面に接合されている取付補助部材の筒部１４に内挿する。その後、歩道側の支柱の側面の開口部１０から、取付補助部材の垂直壁２４の貫通孔とブラケットの垂直壁２２の貫通孔にブラケット固定ボルト４を水平方向に通し、ブラケットの垂直壁２２の貫通孔に切られた雌ねじとの間で締め付けることで、取付補助部材１４を介してブラケット１２を支柱２に固定する。
【００９８】
なお、保持部材の保持部１１への横桟３の取付手順は、実施例１と同様である。すなわち、保持部１１に水平方向から横桟３の端部を挿入し、横桟３の両端部近傍の上部と下部に設けられた横桟固定用ボルト挿入孔（図示せず）と、保持部１１に設けられた横桟固定用ボルト挿入孔２１の位置合わせをした後に、上下に横桟固定用ボルト６を挿入し横桟固定用ナット７で締め付け、固定する。
【００９９】
図９は、図８に示す保持部材１１と取付補助部材１３と固定ボルト４を用いて、上下に３本の横桟を複数の支柱に取り付けて得られた防護柵（支柱の一部は地中に埋められている）を車道側から眺めた図である。すっきりした外観が得られることが分かる。ここでは、横桟の本数として上下３本を取り付けた例を示したが、横桟の本数を増減しても、すっきりした外観が得られる。
【０１００】
図１０は、図９に示す防護柵を、勾配のある道路において、設置した防護柵（支柱の一部は地中に埋められている）の状態を示す。支柱にブラケットを取り付ける際にブラケットは支柱に対して回転可能であるので、横桟の支柱への取付角度が自在となる。したがって、勾配のある道路においても、支柱への取付作業が容易であるとともに、すっきりした外観の防護柵が得られることが分かる。
【０１０１】
また、この実施例でも、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、全体が支柱内に収容されるから、支柱の歩道側に突き出ることはない。
【実施例３】
【０１０２】
図１１に、本発明に係る横桟取付金具に用いる保持部材の他の一例を示す。(a)は正面図、(b)は(a)のＡ−Ａ断面図（右側面図）、(c)は(a)のＢ−Ｂ断面図（上面図）、(d)は背面図である。
【０１０３】
この保持部材１は、ブラケット１２が中実の円錐台状である点とブラケットの垂直壁には長いねじ穴が穿たれている点を除いて、実施例２の図６に示した保持部材と同じである。
【０１０４】
すなわち、この保持部材１は、側面の長さ方向にスリットが形成された円筒状の保持部１１と、この円筒状の保持部１１の側面に中実の円錐台状のブラケット１２を直角に接続した形状を有する。ここで、保持部１１は長手方向の両端部近傍の上部と底部に、それぞれ横桟固定用ボルト挿入孔２１を有している。ブラケット１２は、その端部に垂直壁２２を有し、この垂直壁２２には固定ボルトを通して締め付けるための長いねじ穴２７が穿たれている。
【０１０５】
図１２に、本発明に係る横桟取付金具に用いる取付補助部材の他の一例を示す。(a)は正面図、(b)は(a)のＡ−Ａ断面図（右側面図）、(c)は(a)のＢ−Ｂ断面図（上面図）、(d)は背面図である。
【０１０６】
この取付補助部材１３は、筒部１４のうち、ブラケットを内挿する部分が円錐台状である点を除いて、実施例２の図７に示した取付補助部材と同じである。
【０１０７】
すなわち、この取付補助部材１３は円錐台状の筒部１４と垂直壁２４からなる。この円錐台状の取付補助部材の筒部１４は、ブラケットを内挿できるだけの内径を有している。取付補助部材の垂直壁２４は、筒部１４の端部に設けられ、この垂直壁２４には固定ボルトを通す貫通孔２５が設けられている。
【０１０８】
図１３に、図１１に示す保持部材１と図１２に示す取付補助部材１３を用いて、固定ボルトにより、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【０１０９】
支柱２には、車道側の側面に円形の開口部９が、そして、この開口部とは反対側、すなわち、歩道側の側面に円形の開口部１０が、それぞれ、形成されている。車道側の側面に形成された円形の開口部９に、円錐台状の取付補助部材を挿入し、車道側の側面に形成された開口部９の壁面に取付補助部材の筒部１４の端部を溶接等で接合する。
【０１１０】
そして、ブラケット１２を支柱の開口部の壁面に接合されている円錐台状の取付補助部材の筒部１４に内挿する。その後、歩道側の支柱の側面の開口部１０から、取付補助部材の垂直壁２４の貫通孔を通して、ブラケットの垂直壁２２のねじ穴にブラケット固定ボルト４を水平方向に挿入し、締め付けることで、取付補助部材１４を介してブラケット１２を支柱２に固定する。
【０１１１】
なお、保持部材の保持部１１への横桟３の取付手順は、実施例１と同様である。すなわち、保持部１１に水平方向から横桟３の端部を挿入し、横桟３の両端部近傍の上部と下部に設けられた横桟固定用ボルト挿入孔（図示せず）と、保持部１１に設けられた横桟固定用ボルト挿入孔２１の位置合わせをした後に、上下に横桟固定用ボルト６を挿入し横桟固定用ナット７で締め付け、固定する。
【０１１２】
そして、図１３に示す保持部材１１と取付補助部材１３と固定ボルト４を用いて、複数の支柱に横桟を取り付けて得られた防護柵は、実施例１の図４〜５及び実施例２の図９〜１０と同様のものが得られる。勾配のある道路においても、支柱にブラケットを取り付ける際にブラケットは支柱に対して回転可能であるので、支柱への取付作業が容易であるとともに、すっきりした外観の防護柵が得られる。横桟の本数を増減しても、すっきりした外観が得られる。
【０１１３】
また、この実施例でも、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、全体が支柱内に収容されるから、支柱の歩道側に突き出ることはない。
【実施例４】
【０１１４】
図１４に、本発明に係る横桟取付金具に用いる保持部材の他の一例を示す。(a)は正面図、(b)は(a)のＡ−Ａ断面図（右側面図）、(c)は(a)のＢ−Ｂ断面図（上面図）、(d)は(a)のＣ−Ｃ断面図（上面図）、(e)は背面図である。
【０１１５】
この保持部材１には、保持部１１とブラケット１２の間に接続部１８が設けられている。接続部１８は、保持部１１を支持してブラケット１２に連結するものであり、ここでは、１枚の矩形状の平板と２枚の台形の平板からなるコの字形の形状をしている。接続部１８が設けられていると、支柱内に収容されるブラケット１２を横桟を保持する保持部１１の位置よりも下方にすることができる。
【０１１６】
すなわち、この保持部材１は、側面の長さ方向にスリットが形成された円筒状の保持部１１と、保持部１１を支持してブラケット１２に連結する接続部１８と、この接続部１８の矩形状の平板に円形の開口部を形成し、この開口部に円筒状のブラケット１２を直角に接続した形状を有する。ここで、保持部１１は長手方向の両端部近傍の上部と底部に、それぞれ横桟固定用ボルト挿入孔２１を有している。ブラケット１２は、その端部に垂直壁２２を有し、この垂直壁２２には固定ボルトを通す貫通孔２３が設けられている。ただし、この貫通孔２３には雌ねじは切られていない。
【０１１７】
図１５に、本発明に係る横桟取付金具に用いる取付補助部材の他の一例を示す。(a)は正面図、(b)は(a)のＡ−Ａ断面図（右側面図）、(c)は(a)のＢ−Ｂ断面図（上面図）、(d)は背面図である。
【０１１８】
この取付補助部材１３の垂直壁２４には、貫通孔ではなくねじ穴２６が設けられている。その分、垂直壁２４の厚みは厚くなっている。
【０１１９】
すなわち、この取付補助部材１３は筒部１４と垂直壁２４からなる。ここでは、筒部１４は内外面とも円筒状の形状を有し、ブラケットを内挿できるだけの内径を有している。取付補助部材の垂直壁２４は、ブラケットを内挿する側とは反対側の端部に設けられ、この垂直壁２４には固定ボルトの先をねじ込むことができるねじ穴２６が設けられている。
【０１２０】
図１６に、図１４に示す保持部材１と図１５に示す取付補助部材１３を用いて、固定ボルトにより、横桟を支柱に取り付けたときの１つの態様を示す。(a)は車道側からみた正面図、(b)は(a)のＡ−Ａ断面図（右側面図）、(c)は(a)のＢ−Ｂ断面図（上面図）、(d)は(a)のＣ−Ｃ断面図（上面図）、(e)は背面図である。
【０１２１】
支柱２には、車道側の側面に円形の開口部が、そして、この開口部とは反対側、すなわち、歩道側の側面に円形の開口部１０が、それぞれ、形成されている。車道側の側面に形成された円形の開口部に、円錐台状の取付補助部材を挿入し、車道側の側面に形成された開口部９の壁面に取付補助部材の筒部１４の端部を溶接等で接合する。
【０１２２】
そして、ブラケット１２を支柱の開口部の壁面に接合されている取付補助部材の筒部１４に内挿する。このとき、ブラケットの垂直壁２２と取付補助部材の垂直壁２４が接触する。その後、車道側の支柱の側面の開口部から、ブラケットの垂直壁２２の貫通孔にブラケット固定ボルト４を水平方向に通し、ブラケット固定ボルト４の先端を取付補助部材の垂直壁２４のねじ穴２６に挿入し締め付けることで、取付補助部材１４を介してブラケット１２を支柱２に固定する。このように、接続部１８を有する保持部材１１を用いると、取付補助部材１４を介してブラケット１２を支柱２に固定する際に、車道側の支柱の側面の開口部からであっても、固定ボルトの締め付ける操作をすることができる。ここで、取付補助部材の垂直壁に貫通孔を形成し、ブラケットの垂直壁にねじ穴を形成して、固定ボルトの頭の位置を左右に逆転させれば、歩道側の支柱の側面の開口部から固定ボルトの締め付ける操作をすることもできる。
【０１２３】
そして、保持部材の保持部１１への横桟３の取付手順は、実施例１と同様である。すなわち、保持部１１の水平方向から横桟３の端部を挿入し、横桟３の両端部近傍の上部と下部に設けられた横桟固定用ボルト挿入孔（図示せず）と、保持部１１に設けられた横桟固定用ボルト挿入孔２１の位置合わせをした後に、上下に横桟固定用ボルト６を挿入し横桟固定用ナット７で締め付け、固定する。
【０１２４】
図１７は、図１６に示す保持部材１１と取付補助部材１３と固定ボルト４を用いて、上下に２本の横桟を複数の支柱に取り付けて得られた防護柵（支柱の一部は地中に埋められている）を車道側から眺めた図である。すっきりした外観が得られることが分かる。ここでは、横桟の本数として上下２本を取り付けた例を示したが、横桟の本数を増減しても、すっきりした外観が得られる。
【０１２５】
図１８は、図１７に示す防護柵を、勾配のある道路において、設置した防護柵（支柱の一部は地中に埋められている）の状態を示す。支柱にブラケットを取り付ける際にブラケットは支柱に対して回転可能であるので、横桟の支柱への取付角度が自在となる。したがって、勾配のある道路においても、支柱への取付作業が容易であるとともに、すっきりした外観の防護柵が得られることが分かる。
【０１２６】
また、この実施例でも、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、全体が支柱内に収容されるから、支柱の歩道側に突き出ることはない。
【実施例５】
【０１２７】
図１９に、図１４に示す保持部材１と図１５に示す取付補助部材１３を用いて、固定ボルトにより、横桟を支柱に取り付けたときの他の態様を示す。(a)は車道側からみた正面図、(b)は(a)のＡ−Ａ断面図（右側面図）、(c)は(a)のＢ−Ｂ断面図（上面図）、(d)は(a)のＣ−Ｃ断面図（上面図）、(e)は背面図である。
【０１２８】
支柱２には、車道側の側面にのみ円形の開口部が形成されている。支柱２の開口部に、円錐台状の取付補助部材を挿入し、車道側の側面に形成された開口部９の壁面に取付補助部材の筒部１４の端部を溶接等で接合する。
【０１２９】
そして、ブラケット１２を支柱の開口部の壁面に接合されている取付補助部材の筒部１４に内挿する。その後、車道側の支柱の側面の開口部から、ブラケットの垂直壁２２の貫通孔にブラケット固定ボルト４を水平方向に通し、ブラケット固定ボルト４の先端を取付補助部材の垂直壁２４のねじ穴２６に挿入し締め付けることで、取付補助部材１４を介してブラケット１２を支柱２に固定する。
【０１３０】
このように、接続部１８を有する保持部材１１を用いると、取付補助部材１４を介してブラケット１２を支柱２に固定する際に、車道側の支柱の側面の開口部からも、固定ボルトの締め付ける操作をすることができるので、歩道側の支柱側面にボルト固定操作用の開口部を形成しなくてもよい。
【０１３１】
そして、保持部材の保持部１１への横桟３の取付手順は、実施例１と同様である。すなわち、保持部１１に水平方向から横桟３の端部を挿入し、横桟３の両端部近傍の上部と下部に設けられた横桟固定用ボルト挿入孔（図示せず）と、保持部１１に設けられた横桟固定用ボルト挿入孔２１の位置合わせをした後に、上下に横桟固定用ボルト６を挿入し横桟固定用ナット７で締め付け、固定する。
【０１３２】
そして、図１９に示す保持部材１１と取付補助部材１３と固定ボルト４を用いて、複数の支柱に上下に２本の横桟を取り付けて得られた防護柵は、実施例４の図１７〜１８と同様のものが得られる。勾配のある道路においても、支柱にブラケットを取り付ける際にブラケットは支柱に対して回転可能であるので、支柱への取付作業が容易であるとともに、すっきりした外観の防護柵が得られる。横桟の本数を増減しても、すっきりした外観が得られる。
【０１３３】
また、この実施例でも、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、全体が支柱内に収容されるし、歩道側の支柱側面にボルト固定操作用の開口部は形成されないから、支柱の歩道側に突き出ることはない。
【実施例６】
【０１３４】
図２０に、本発明に係る横桟取付金具に用いる保持部材の他の一例を示す。(a)は正面図、(b)は(a)のＡ−Ａ断面図（右側面図）、(c)は(a)のＢ−Ｂ断面図（上面図）、(d)は背面図である。
【０１３５】
この保持部材１は、ブラケット１２の垂直壁２２の先端の中央部に円筒形の凸部３１を有する点と、ブラケット１２の貫通孔２３に雌ねじが切ってない点を除いて、実施例２の図６に示した保持部材と同じである。
【０１３６】
すなわち、この保持部材は、側面の長さ方向にスリットが形成された円筒状の保持部１１と、この円筒状の保持部１１のスリットとは反対側の側面に円形の開口部を形成し、この開口部に円筒状のブラケット１２を直角に接続した形状を有する。ここで、保持部１１は長手方向の両端部近傍の上部と底部に、それぞれ横桟固定用ボルト挿入孔２１を有している。ブラケット１２は、その端部の垂直壁２２に円筒形の凸部３１が形成され、さらに固定ボルトを通す貫通孔２３が設けられている。
【０１３７】
なお、このブラケット１２の垂直壁２２の外面の中央部に形成される円筒形の凸部３１は、取付補助部材の垂直壁の中央部に設けられる円筒形の凹部と嵌合する形状となっている。また、ブラケット１２を取付補助部材に内挿させたときに、ブラケットの垂直壁２２と取付補助部材の垂直壁を接触させることができるだけの長さをブラケット１２の筒は有している。
【０１３８】
図２１に、本発明に係る横桟取付金具に用いる取付補助部材の他の一例を示す。(a)は正面図、(b)は(a)のＡ−Ａ断面図（右側面図）、(c)は(a)のＢ−Ｂ断面図（上面図）、(d)は背面図である。
【０１３９】
この取付補助部材１３は、その垂直壁２４の内面の中央部に円筒形の凹部３２を有する点とその垂直壁２４が円筒形の端部ではなくその近傍に設けられている点を除いて、実施例２の図７に示した保持部材と同じである。
【０１４０】
すなわち、この取付補助部材１３は筒部１４と垂直壁２４からなる。ここでは、筒部１４は内外面とも円筒状の形状を有し、ブラケットを内挿できるだけの内径を有している。取付補助部材の垂直壁２４は、ブラケットを内挿する端側とは反対側の端部近傍に設けられ、この垂直壁２４の内面の中央部には円筒形の凹部３２が形成され、さらに固定ボルトを通す貫通孔２５が設けられている。
【０１４１】
なお、この取付補助部材１３の垂直壁２４の内面の中央部に形成される円筒形の凹部３２は、ブラケット１２の垂直壁２２の外面の中央部に形成される円筒形の凸部３１と嵌合する形状となっている。また、ブラケット１２を取付補助部材１３に内挿させたときに、ブラケットの垂直壁２２と取付補助部材１３の垂直壁２４が接触し、かつ、ブラケット１２の垂直壁２２の外面の中央部に形成される円筒形の凸部３１と取付補助部材１３の垂直壁２４の内面の中央部に形成される円筒形の凹部３２が嵌合するように、取付補助部材１３の垂直壁２４の設置位置が決められる。
【０１４２】
図２２に、図２０に示す保持部材１と図２１に示す取付補助部材１３を用いて、固定ボルト４により、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【０１４３】
支柱２には、車道側の側面に円形の開口部９が、そして、この開口部とは反対側、すなわち、歩道側の側面に円形の開口部１０が、それぞれ、形成されている。支柱２の車道側の側面に形成された円形の開口部９に、円筒状の取付補助部材を挿入し、車道側の側面に形成された開口部９の壁面に取付補助部材の筒部１４の端部を溶接等で接合する。
【０１４４】
そして、垂直壁２２にブラケット固定用のナット５を溶接によって接合させてあるブラケット１２を、支柱の開口部の壁面に接合されている取付補助部材の筒部１４に内挿する。このとき、ブラケットの垂直壁２２と取付補助部材１３の垂直壁２４が接触し、かつ、ブラケット１２の垂直壁２２の外面の中央部に形成される円筒形の凸部３１と取付補助部材１３の垂直壁２４の内面の中央部に形成される円筒形の凹部３２が嵌合するように、ブラケット１２の垂直壁２２の位置を合わせる。その後、歩道側の支柱の側面の開口部１０から、取付補助部材の垂直壁２４の貫通孔とブラケットの垂直壁２２の貫通孔にブラケット固定ボルト４を水平方向に通し、ブラケット固定ナット５との間で締め付けることで、取付補助部材１４を介してブラケット１２を支柱２に固定する。
【０１４５】
なお、保持部材の保持部１１への横桟３の取付手順は、実施例１と同様である。すなわち、保持部１１に水平方向から横桟３の端部を挿入し、横桟３の両端部近傍の上部と下部に設けられた横桟固定用ボルト挿入孔（図示せず）と、保持部１１に設けられた横桟固定用ボルト挿入孔２１の位置合わせをした後に、上下に横桟固定用ボルト６を挿入し横桟固定用ナット７で締め付け、固定する。
【０１４６】
そして、図２２に示す保持部材１１と取付補助部材１３と固定ボルト４を用いて、複数の支柱に横桟を取り付けて得られた防護柵は、実施例１の図４〜５及び実施例２の図９〜図１０と同様のものが得られる。勾配のある道路においても、支柱にブラケットを取り付ける際にブラケットは支柱に対して回転可能であるので、支柱への取付作業が容易であるとともに、すっきりした外観の防護柵が得られる。横桟の本数を増減しても、すっきりした外観が得られる。
【０１４７】
また、この実施例でも、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、ナットを含めて支柱内に収容されるから、支柱の歩道側に突き出ることはない。
【０１４８】
さらに、ブラケットの垂直壁と取付補助部材の垂直壁とが嵌合しているので、横桟又は横桟取付金具に車両が衝突したときに、その荷重を取付補助部材とブラケットの全体でさらに堅固に受け止めることができる。
【実施例７】
【０１４９】
本発明にかかる横桟取付金具は、保持部材の保持部にインナースリーブを設置することができる。
【０１５０】
次に、保持部材の保持部にインナースリーブを設置してなる、本発明にかかる横桟取付金具の他の一例を示す。
【０１５１】
図２３は、本発明に係る保持部に設置するインナースリーブの一例を示すインナースリーブの断面図（正面図）である。
【０１５２】
インナースリーブ８は円筒形を有し、インナースリーブ８の長さは保持部の長さよりも長い。したがって、インナースリーブを保持部に内接させて設置すると、インナースリーブの両端は保持部の両端からはみ出すことになる。このはみ出す部分が、横桟の端部を外挿する部分となる。そして、その中央部近傍の２個所にインナースリーブ８を保持部材の保持部に固定するための雌ねじ１９が設けられている。さらに、インナースリーブ８の長手方向の両端部近傍には横桟の端部をインナースリーブに外挿した後に固定するための雌ねじ１６が設けられている。
【０１５３】
インナースリーブに設けられた雌ねじ１９及び雌ねじ１６には、それぞれ、保持部及び横桟を固定するためのボルトが挿入されるが、そのために、保持部及び横桟には雌ねじ１９及び雌ねじ１６に対応する個所に、ボルト挿入孔がそれぞれ穿たれている。
【０１５４】
なお、インナースリーブ８を保持部に固定する雌ねじ１９は、ここでは、インナースリーブの中央部近傍の２個所に設けられているが、２個所に限定されない。また、インナースリーブ８に横桟を固定する雌ねじ１６は、ここでは、インナースリーブの両端部近傍に、それぞれ１個所設けられているが、複数個所でも構わない。
【０１５５】
保持部材の保持部へのインナースリーブの取付の手順は、次のとおりである。インナースリーブ８を保持部に内接して設置した場合の横桟の取付は、次の手順のいずれかで行うことができる。すなわち、予め横桟の端部をインナースリーブ８の片端部に外挿しインナースリーブの横桟固定ボルトでインナースリーブと横桟の端部を固定しておいてから、保持部の横桟固定ボルトで固定しても良いし、若しくは、予めインナースリーブ８の両端部に横桟の端部を外挿し、インナースリーブの横桟固定ボルトでインナースリーブと横桟の端部を固定しておいてから、保持部の横桟固定ボルトで固定しても良い。又は、インナースリーブ８を保持部に内接して保持部の横桟固定ボルトで固定してから、横桟の端部をインナースリーブ８の片端部又は両端部に外挿しインナースリーブの横桟固定ボルトで固定してもよい。
【０１５６】
図２４に、図２３に示すインナースリーブを保持部材の保持部に設置して、固定ボルトにより、横桟を支柱に取り付けたときの状態を示す。このとき、保持部材１は図１に示すものを、そして、取付補助部材１３は図２に示すものを用いた。(a)は車道側からみた正面図、(b)は(a)のＡ−Ａ断面図（右側面図）、(c)は(a)のＢ−Ｂ断面図（上面図）、(d)は背面図である。
【０１５７】
支柱２には、車道側の側面に円形の開口部９が、そして、この開口部とは反対側、すなわち、歩道側の側面に円形の開口部１０が、それぞれ、形成されている。車道側の側面に形成された円形の開口部９に、円筒状の取付補助部材を挿入し、車道側の側面に形成された開口部９の壁面に取付補助部材の筒部１４の端部を溶接等で接合する。
【０１５８】
そして、垂直壁２２にブラケット固定用のナット５を溶接によって接合させてあるブラケット１２を、支柱の開口部の壁面に接合されている取付補助部材の筒部１４に内挿する。その後、歩道側の支柱の側面の開口部１０から、取付補助部材の垂直壁２４の貫通孔とブラケットの垂直壁２２の貫通孔にブラケット固定ボルト４を水平方向に通し、ブラケット固定ナット５との間で締め付けることで、取付補助部材１４を介してブラケット１２を支柱２に固定する。
【０１５９】
保持部材の保持部１１へのインナースリーブ８を介しての横桟３の取付手順は、次のとおりである。まず、保持部１１に内接して、水平方向からインナースリーブ８を挿入し、
インナースリーブ８の中央部近傍の２個所に設けられたインナースリーブの保持部固定雌ねじ１９のそれぞれに、保持部の横桟固定ボルト６を挿入して、締め付け固定する。次いで、インナースリーブ８の両端部のそれぞれに、横桟３の端部を外挿し、インナースリーブ８の端部近傍の２個所に設けられたインナースリーブの横桟固定雌ねじ１６のそれぞれに、インナースリーブの横桟固定ボルト１７を挿入して、締め付け固定する。
【０１６０】
図２５は、図２４に示す保持部材１１と取付補助部材１３と固定ボルト４を用いて、上下に２本の横桟を複数の支柱に取り付けて得られた防護柵（支柱の一部は地中に埋められている）を車道側から眺めた図である。インナースリーブを保持部に設置したため、横桟と保持部を同一外径で一直線上に配置することができるので、すっきりした外観の防護柵が得られることが分かる。ここでは、横桟の本数として上下２本を取り付けた例を示したが、横桟の本数を増減しても、すっきりした外観が得られる。
【０１６１】
図２６は、図２５に示す防護柵を、勾配のある道路において、設置した防護柵（支柱の一部は地中に埋められている）の状態を示す。支柱にブラケットを取り付ける際にブラケットは支柱に対して回転可能であるので、横桟の支柱への取付角度が自在となる。したがって、勾配のある道路においても、支柱への取付作業が容易であるとともに、すっきりした外観の防護柵が得られることが分かる。
【０１６２】
さらに、この実施例では、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、ナットを含めて支柱内に収容されるから、支柱の歩道側に突き出ることはない。
【実施例８】
【０１６３】
保持部材の保持部にインナースリーブを設置してなる、本発明にかかる横桟取付金具の他の例を示す。
【０１６４】
図２７は、図２３に示すインナースリーブを保持部材の保持部に設置して、固定ボルトにより、横桟を支柱に取り付けたときの状態を示す。このとき、保持部材１は図６に示すものを、そして、取付補助部材１３は図７に示すものを用いた。(a)は車道側からみた正面図、(b)は(a)のＡ−Ａ断面図（右側面図）、(c)は(a)のＢ−Ｂ断面図（上面図）、(d)は背面図である。
【０１６５】
支柱２には、車道側の側面に円形の開口部９が、そして、この開口部とは反対側、すなわち、歩道側の側面に矩形の開口部１０が、それぞれ、形成されている。車道側の側面に形成された円形の開口部９に、円筒状の取付補助部材を挿入し、車道側の側面に形成された開口部９の壁面に取付補助部材の筒部１４の端部を溶接等で接合する。
【０１６６】
そして、ブラケット１２を支柱の開口部の壁面に接合されている取付補助部材の筒部１４に内挿する。その後、歩道側の支柱の側面の開口部１０から、取付補助部材の垂直壁２４の貫通孔とブラケットの垂直壁２２の貫通孔にブラケット固定ボルト４を水平方向に通し、ブラケットの垂直壁２２の貫通孔に切られた雌ねじとの間で締め付けることで、取付補助部材１４を介してブラケット１２を支柱２に固定する。
【０１６７】
なお、保持部材の保持部１１への横桟３の取付手順は、実施例７と同様である。すなわち、保持部１１に内接して、水平方向からインナースリーブ８を挿入し、インナースリーブ８の中央部近傍の２個所に設けられたインナースリーブの保持部固定雌ねじ１９のそれぞれに、保持部の横桟固定ボルト６を挿入して、締め付け固定する。次いで、インナースリーブ８の両端部のそれぞれに、横桟３の端部を外挿し、インナースリーブ８の端部近傍の２個所に設けられたインナースリーブの横桟固定雌ねじ１６のそれぞれに、インナースリーブの横桟固定ボルト１７を挿入して、締め付け固定する。
【０１６８】
そして、図２７に示す保持部材１１と取付補助部材１３と固定ボルト４を用いて、複数の支柱に横桟を取り付けて得られた防護柵は、実施例７の図２５〜２６と同様のものが得られる。インナースリーブを保持部に設置したため、横桟と保持部を同一外径で一直線上に配置することができるので、すっきりした外観の防護柵が得られる。また、勾配のある道路においても、支柱にブラケットを取り付ける際にブラケットは支柱に対して回転可能であるので、支柱への取付作業が容易であるとともに、すっきりした外観の防護柵が得られる。横桟の本数を増減しても、すっきりした外観が得られる。
【０１６９】
また、この実施例でも、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、全体が支柱内に収容されるから、支柱の歩道側に突き出ることはない。
【実施例９】
【０１７０】
保持部材の保持部にインナースリーブを設置してなる、本発明にかかる横桟取付金具の他の例を示す。
【０１７１】
図２８は、図２３に示すインナースリーブを保持部材の保持部に設置して、固定ボルトにより、横桟を支柱に取り付けたときの状態を示す。このとき、保持部材１は図１１に示すものを、そして、取付補助部材１３は図１２に示すものを用いた。(a)は車道側からみた正面図、(b)は(a)のＡ−Ａ断面図（右側面図）、(c)は(a)のＢ−Ｂ断面図（上面図）、(d)は背面図である。
【０１７２】
支柱２には、車道側の側面に円形の開口部９が、そして、この開口部とは反対側、すなわち、歩道側の側面に円形の開口部１０が、それぞれ、形成されている。車道側の側面に形成された円形の開口部９に、円錐台状の取付補助部材を挿入し、車道側の側面に形成された開口部９の壁面に取付補助部材の筒部１４の端部を溶接等で接合する。
【０１７３】
そして、ブラケット１２を支柱の開口部の壁面に接合されている取付補助部材の筒部１４に内挿する。その後、歩道側の支柱の側面の開口部１０から、取付補助部材の垂直壁２４の貫通孔とブラケットの垂直壁２２の貫通孔にブラケット固定ボルト４を水平方向に通し、ブラケットの垂直壁２２の貫通孔に切られた雌ねじとの間で締め付けることで、取付補助部材１４を介してブラケット１２を支柱２に固定する。
【０１７４】
なお、保持部材の保持部１１への横桟３の取付手順は、実施例７と同様である。すなわち、保持部１１に内接して、水平方向からインナースリーブ８を挿入し、インナースリーブ８の中央部近傍の２個所に設けられたインナースリーブの保持部固定雌ねじ１９のそれぞれに、保持部の横桟固定ボルト６を挿入して、締め付け固定する。次いで、インナースリーブ８の両端部のそれぞれに、横桟３の端部を外挿し、インナースリーブ８の端部近傍の２個所に設けられたインナースリーブの横桟固定雌ねじ１６のそれぞれに、インナースリーブの横桟固定ボルト１７を挿入して、締め付け固定する。
【０１７５】
このように、図２８に示す保持部材１１と取付補助部材１３と固定ボルト４を用いて、複数の支柱に横桟を取り付けて得られた防護柵は、実施例６の図２５〜２６と同様のものが得られる。インナースリーブを保持部に設置したため、横桟と保持部を同一外径で一直線上に配置することができるので、すっきりした外観の防護柵が得られる。また、勾配のある道路においても、支柱にブラケットを取り付ける際にブラケットは支柱に対して回転可能であるので、支柱への取付作業が容易であるとともに、すっきりした外観の防護柵が得られる。横桟の本数を増減しても、すっきりした外観が得られる。
【０１７６】
また、この実施例でも、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、全体が支柱内に収容されるから、支柱の歩道側に突き出ることはない。
【実施例１０】
【０１７７】
保持部材の保持部にインナースリーブを設置してなる、本発明にかかる横桟取付金具の他の例を示す。
【０１７８】
図２９は、図２３に示すインナースリーブを保持部材の保持部に設置して、固定ボルトにより、横桟を支柱に取り付けたときの状態を示す。このとき、保持部材１は図１４に示すものを、そして、取付補助部材１３は図１５に示すものを用いた。(a)は車道側からみた正面図、(b)は(a)のＡ−Ａ断面図（右側面図）、(c)は(a)のＢ−Ｂ断面図（上面図）、(d)は(a)のＣ−Ｃ断面図（上面図）、(e)は背面図である。
【０１７９】
支柱２には、車道側の側面に円形の開口部が、そして、この開口部とは反対側、すなわち、歩道側の側面に円形の開口部１０が、それぞれ、形成されている。車道側の側面に形成された円形の開口部に、円筒状の取付補助部材を挿入し、車道側の側面に形成された開口部９の壁面に取付補助部材の筒部１４の端部を溶接等で接合する。
【０１８０】
そして、ブラケット１２を支柱の開口部の壁面に接合されている取付補助部材の筒部１４に内挿する。その後、車道側の支柱の側面の開口部から、ブラケットの垂直壁２２の貫通孔にブラケット固定ボルト４を水平方向に通し、ブラケット固定ボルト４の先端を取付補助部材の垂直壁２４のねじ穴２６に挿入し締め付けることで、取付補助部材１４を介してブラケット１２を支柱２に固定する。このように、接続部１８を有する保持部材１１を用いると、取付補助部材１４を介してブラケット１２を支柱２に固定する際に、車道側の支柱の側面の開口部からであっても、固定ボルトの締め付ける操作をすることができる。ここで、取付補助部材の垂直壁に貫通孔を形成し、ブラケットの垂直壁にねじ穴を形成して、固定ボルトの頭の位置を左右に逆転させれば、歩道側の支柱の側面の開口部から固定ボルトの締め付ける操作をすることもできる。
【０１８１】
なお、保持部材の保持部１１への横桟３の取付手順は、実施例６と同様である。すなわち、保持部１１に内接して、水平方向からインナースリーブ８を挿入し、インナースリーブ８の中央部近傍の２個所に設けられたインナースリーブの保持部固定雌ねじ１９のそれぞれに、保持部の横桟固定ボルト６を挿入して、締め付け固定する。次いで、インナースリーブ８の両端部のそれぞれに、横桟３の端部を外挿し、インナースリーブ８の端部近傍の２個所に設けられたインナースリーブの横桟固定雌ねじ１６のそれぞれに、インナースリーブの横桟固定ボルト１７を挿入して、締め付け固定する。
【０１８２】
図３０は、図２９に示す保持部材１１と取付補助部材１３と固定ボルト４を用いて、上下に２本の横桟を複数の支柱に取り付けて得られた防護柵（支柱の一部は地中に埋められている）を車道側から眺めた図である。すっきりした外観が得られることが分かる。ここでは、横桟の本数として上下２本を取り付けた例を示したが、横桟の本数を増減しても、すっきりした外観が得られる。
【０１８３】
図３１は、図３０に示す防護柵を、勾配のある道路において、設置した防護柵（支柱の一部は地中に埋められている）の状態を示す。支柱にブラケットを取り付ける際にブラケットは支柱に対して回転可能であるので、横桟の支柱への取付角度が自在となる。したがって、勾配のある道路においても、支柱への取付作業が容易であるとともに、すっきりした外観の防護柵が得られることが分かる。
【０１８４】
また、この実施例でも、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、全体が支柱内に収容されるから、支柱の歩道側に突き出ることはない。
【実施例１１】
【０１８５】
保持部材の保持部にインナースリーブを設置して、本発明にかかる横桟取付金具を適用してなる他の態様を示す。
【０１８６】
図３２は、図２３に示すインナースリーブを保持部材の保持部に設置して、固定ボルトにより、横桟を支柱に取り付けたときの状態を示す。このとき、保持部材１は図１４に示すものを、そして、取付補助部材１３は図１５に示すものを用いた。(a)は車道側からみた正面図、(b)は(a)のＡ−Ａ断面図（右側面図）、(c)は(a)のＢ−Ｂ断面図（上面図）、(d)は(a)のＣ−Ｃ断面図（上面図）、(e)は背面図である。
【０１８７】
支柱２には、車道側の側面にのみ円形の開口部が形成されている。支柱２の開口部に、円筒状の取付補助部材を挿入し、車道側の側面に形成された開口部９の壁面に取付補助部材の筒部１４の端部を溶接等で接合する。
【０１８８】
そして、ブラケット１２を支柱の開口部の壁面に接合されている取付補助部材の筒部１４に内挿する。その後、車道側の支柱の側面の開口部から、ブラケットの垂直壁２２の貫通孔にブラケット固定ボルト４を水平方向に通し、ブラケット固定ボルト４の先端を取付補助部材の垂直壁２４のねじ穴２６に挿入し締め付けることで、取付補助部材１４を介してブラケット１２を支柱２に固定する。
【０１８９】
このように、接続部１８を有する保持部材１１を用いると、取付補助部材１４を介してブラケット１２を支柱２に固定する際に、車道側の支柱の側面の開口部から、固定ボルトの締め付ける操作をすることができるので、歩道側の支柱側面にボルト固定操作用の開口部を形成しなくてもよい。
【０１９０】
なお、保持部材の保持部１１への横桟３の取付手順は、実施例７と同様である。すなわち、保持部１１に内接して、水平方向からインナースリーブ８を挿入し、インナースリーブ８の中央部近傍の２個所に設けられたインナースリーブの保持部固定雌ねじ１９のそれぞれに、保持部の横桟固定ボルト６を挿入して、締め付け固定する。次いで、インナースリーブ８の両端部のそれぞれに、横桟３の端部を外挿し、インナースリーブ８の端部近傍の２個所に設けられたインナースリーブの横桟固定雌ねじ１６のそれぞれに、インナースリーブの横桟固定ボルト１７を挿入して、締め付け固定する。
【０１９１】
そして、図３２に示す保持部材１１と取付補助部材１３と固定ボルト４を用いて、複数の支柱に上下に２本の横桟を取り付けて得られた防護柵は、実施例１０の図３０〜３１と同様のものが得られる。勾配のある道路においても、支柱にブラケットを取り付ける際にブラケットは支柱に対して回転可能であるので、支柱への取付作業が容易であるとともに、すっきりした外観の防護柵が得られる。横桟の本数を増減しても、すっきりした外観が得られる。横桟の本数を増減しても、すっきりした外観が得られる。
【０１９２】
また、この実施例でも、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、全体が支柱内に収容されるし、歩道側の支柱側面にボルト固定操作用の開口部は形成されないから、支柱の歩道側に突き出ることはない。
【実施例１２】
【０１９３】
図３３に、図２３に示すインナースリーブを保持部材の保持部に設置して、固定ボルトにより、横桟を支柱に取り付けたときの状態を示す。このとき、保持部材１は図２０に示すものを、そして、取付補助部材１３は図２１に示すものを用いた。(a)は正面図、(b)は(a)のＡ−Ａ断面図（右側面図）、(c)は(a)のＢ−Ｂ断面図（上面図）、(d)は背面図である。
【０１９４】
支柱２には、車道側の側面に円形の開口部９が、そして、この開口部とは反対側、すなわち、歩道側の側面に矩形の開口部１０が、それぞれ、形成されている。支柱２の車道側の側面に形成された円形の開口部９に、円筒状の取付補助部材を挿入し、車道側の側面に形成された円形の開口部９の壁面に取付補助部材の筒部１４の端部を溶接等で接合する。
【０１９５】
そして、垂直壁２２にブラケット固定用のナット５を接合しておいたブラケット１２を、支柱の開口部の壁面に接合されている取付補助部材の筒部１４に内挿する。このとき、ブラケットの垂直壁２２と取付補助部材１３の垂直壁２４が接触し、かつ、ブラケット１２の垂直壁２２の外面の中央部に形成される円筒形の凸部３１と取付補助部材１３の垂直壁２４の内面の中央部に形成される円筒形の凹部３２が嵌合するように、ブラケット１２の垂直壁２２の位置を合わせる。その後、歩道側の支柱の側面の開口部１０から、取付補助部材の垂直壁２４の貫通孔とブラケットの垂直壁２２の貫通孔にブラケット固定ボルト４を水平方向に通し、ブラケット固定ナット５との間で締め付けることで、取付補助部材１４を介してブラケット１２を支柱２に固定する。
【０１９６】
なお、保持部材の保持部１１への横桟３の取付手順は、実施例７と同様である。すなわち、保持部１１に内接して、水平方向からインナースリーブ８を挿入し、インナースリーブ８の中央部近傍の２個所に設けられたインナースリーブの保持部固定雌ねじ１９のそれぞれに、保持部の横桟固定ボルト６を挿入して、締め付け固定する。次いで、インナースリーブ８の両端部のそれぞれに、横桟３の端部を外挿し、インナースリーブ８の端部近傍の２個所に設けられたインナースリーブの横桟固定雌ねじ１６のそれぞれに、インナースリーブの横桟固定ボルト１７を挿入して、締め付け固定する。
【０１９７】
そして、図３３に示す保持部材１１と取付補助部材１３と固定ボルト４を用いて、複数の支柱に上下に２本の横桟を取り付けて得られた防護柵は、実施例７の図２５〜２６と同様のものが得られる。勾配のある道路においても、支柱にブラケットを取り付ける際にブラケットは支柱に対して回転可能であるので、支柱への取付作業が容易であるとともに、すっきりした外観の防護柵が得られる。横桟の本数を増減しても、すっきりした外観が得られる。横桟の本数を増減しても、すっきりした外観が得られる。
【０１９８】
また、この実施例でも、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、全体が支柱内に収容されるから、支柱の歩道側に突き出ることはない。
【実施例１３】
【０１９９】
保持部材の保持部にインナースリーブを設置してなる、本発明にかかる横桟取付金具の他の一例を示す。
【０２００】
図３４は、本発明に係る保持部に設置するインナースリーブの他の例を示すインナースリーブの断面図（正面図）である。
【０２０１】
インナースリーブ８は円筒形を有し、その中央部近傍の２個所にインナースリーブ８を保持部材の保持部に固定するためのボルト挿入孔３３が設けられ、その内面にインナースリーブの横桟固定ナット２０が溶接によって接合されている。
【０２０２】
インナースリーブに設けられたボルト挿入孔３３には、インナースリーブを保持部と横桟の端部の両方に固定するためのボルトが挿入されるが、そのために、保持部及び横桟にはボルト挿入孔３３に対応する個所に、ボルト挿入孔がそれぞれ穿たれている。
【０２０３】
なお、インナースリーブ８を保持部に固定するためのボルト挿入孔３３は、ここでは、インナースリーブの中央部近傍の２個所に設けられているが、２個所に限定されない。また、ここでは、インナースリーブを保持部と横桟の端部の両方に固定するためのボルト挿入孔３３のみが示されているが、別途、インナースリーブを横桟の端部のみに固定するためのボルト挿入孔を１個所又は複数個所設けてもよい。
【０２０４】
図３５に、本発明に係る横桟取付金具に用いる保持部材の一例を示す。(a)は正面図、(b)は(a)のＡ−Ａ断面図（右側面図）、(c)は(a)のＢ−Ｂ断面図（上面図）、(d)は背面図である。
【０２０５】
この保持部材１は、保持部材の保持部が、円筒を半分に割って得られるような半円筒状の形状を有する点を除いて、実施例１の図１に示した保持部材と同じである。
【０２０６】
すなわち、この保持部材１は、半円筒状の保持部１１と、この半円筒状の保持部１１の側面に円形の開口部を形成し、この開口部に円筒状のブラケット１２を直角に接続した形状を有する。ここで、保持部１１は長手方向の両端部近傍の底部に、横桟固定用ボルト挿入孔２１を有している。ブラケット１２は、その端部に垂直壁２２を有し、この垂直壁２２には固定ボルトを通す貫通孔２３が設けられている。
【０２０７】
図３６に、本発明に係る横桟取付金具に用いる取付補助部材の一例を示す。(a)は正面図、(b)は(a)のＡ−Ａ断面図（右側面図）、(c)は(a)のＢ−Ｂ断面図（上面図）、(d)は背面図である。
【０２０８】
この取付補助部材１３は、実施例１の図２に示した取付補助部材と同じである。すなわち、この取付補助部材１３は、筒部１４と垂直壁２４からなる。ここでは、筒部１４は内外面とも円筒状の形状を有し、ブラケットを内挿できるだけの内径を有している。取付補助部材の垂直壁２４は、ブラケットを内挿する側とは反対側の端部に設けられ、この垂直壁２４には固定ボルトを通す貫通孔２５が設けられている。
【０２０９】
図３７に、図３４に示すインナースリーブを保持部材の保持部に設置して、図３５に示す保持部材１と図３６に示す取付補助部材１３を用いて、固定ボルトにより、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【０２１０】
支柱２には、車道側の側面に円形の開口部９が、そして、この開口部とは反対側、すなわち、歩道側の側面に円形の開口部１０が、それぞれ、形成されている。車道側の側面に形成された円形の開口部９に、円筒状の取付補助部材を挿入し、車道側の側面に形成された開口部９の壁面に取付補助部材の筒部１４の端部を溶接等で接合する。
【０２１１】
そして、垂直壁２２にブラケット固定用のナット５を溶接によって接合させてあるブラケット１２を、支柱の開口部の壁面に接合されている取付補助部材の筒部１４に内挿する。その後、歩道側の支柱の側面の開口部１０から、取付補助部材の垂直壁２４の貫通孔とブラケットの垂直壁２２の貫通孔にブラケット固定ボルト４を水平方向に通し、ブラケット固定ナット５との間で締め付けることで、取付補助部材１４を介してブラケット１２を支柱２に固定する。
【０２１２】
なお、保持部材の保持部１１へのインナースリーブ８及び横桟３の端部の取付手順は、次のとおりである。まず、インナースリーブ８の片端部を横桟の端部３に内接して挿入する。このとき、インナースリーブに穿たれた保持部固定ボルト挿入孔３３と、横桟の端部に穿たれた固定ボルト挿入孔（図示せず）とを位置合わせをする。この位置合わせをしたまま、インナースリーブ８を内接した横桟３の端部を保持部１１の上に載置する。このとき、保持部に穿たれた横桟固定ボルト挿入孔２１とも位置合わせをする。そして、保持部１１と横桟３の端部とインナースリーブの３つの固定ボルト挿入孔に保持部の横桟固定ボルト６を通す。その後、インナースリーブ８の反対側の片端部に横桟の端部３を外挿する。同じように位置合わせをした保持部１１と横桟３の端部とインナースリーブの３つの固定ボルト挿入孔に保持部の横桟固定ボルト６を通して、ナット７との間で緩く締め付ける。その後、保持部の横桟固定ボルト６と横桟固定ナット７の間を締め付けることによって固定する。
【０２１３】
図３８は、図３７に示す保持部材１１と取付補助部材１３と固定ボルト４を用いて、上下に２本の横桟を複数の支柱に取り付けて得られた防護柵（支柱の一部は地中に埋められている）を車道側から眺めた図である。すっきりした外観が得られることが分かる。ここでは、横桟の本数として上下２本を取り付けた例を示したが、横桟の本数を増減しても、すっきりした外観が得られる。
【０２１４】
図３９は、図３８に示す防護柵を、勾配のある道路において、設置した防護柵（支柱の一部は地中に埋められている）の状態を示す。支柱にブラケットを取り付ける際にブラケットは支柱に対して回転可能であるので、横桟の支柱への取付角度が自在となる。したがって、勾配のある道路においても、支柱への取付作業が容易であるとともに、すっきりした外観の防護柵が得られることが分かる。
【０２１５】
さらに、この実施例では、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、ナットを含めて支柱内に収容されるから、支柱の歩道側に突き出ることはない。
【実施例１４】
【０２１６】
保持部材の保持部にインナースリーブを設置してなる、本発明にかかる横桟取付金具の体の他の例を示す。
【０２１７】
図４０に、本発明に係る横桟取付金具に用いる保持部材の他の例を示す。(a)は正面図、(b)は(a)のＡ−Ａ断面図（右側面図）、(c)は(a)のＢ−Ｂ断面図（上面図）、(d)は背面図である。
【０２１８】
この保持部材１は、保持部材の保持部が、円筒を半分に割って得られるような半円筒状の形状を有する点を除いて、実施例３の図１１に示した保持部材と同じである。
【０２１９】
すなわち、この保持部材１は、半円筒状の保持部１１と、この円筒状の保持部１１の側面に中実の円錐台状のブラケット１２を直角に接続した形状を有する。ここで、保持部１１は長手方向の両端部近傍の底部に、横桟固定用ボルト挿入孔２１を有している。ブラケット１２は、その端部に垂直壁２２を有し、この垂直壁２２には固定ボルトを通して締め付けるための長いねじ穴２７が穿たれている。
【０２２０】
図４１に、本発明に係る横桟取付金具に用いる取付補助部材の一例を示す。(a)は正面図、(b)は(a)のＡ−Ａ断面図（右側面図）、(c)は(a)のＢ−Ｂ断面図（上面図）、(d)は背面図である。
【０２２１】
この取付補助部材１３は、実施例３の図１２に示した取付補助部材と同じである。すなわち、この取付補助部材１３は円錐台状の筒部１４と垂直壁２４からなる。この円錐台状の取付補助部材の筒部１４は、ブラケットを内挿できるだけの内径を有している。取付補助部材の垂直壁２４は、筒部１４の端部に設けられ、この垂直壁２４には固定ボルトを通す貫通孔２５が設けられている。
【０２２２】
図４２に、図３４に示すインナースリーブを保持部材の保持部に設置して、図４０に示す保持部材１と図４１に示す取付補助部材１３を用いて、固定ボルトにより、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【０２２３】
支柱２には、車道側の側面に円形の開口部９が、そして、この開口部とは反対側、すなわち、歩道側の側面に円形の開口部１０が、それぞれ、形成されている。車道側の側面に形成された円形の開口部９に、円錐台状の取付補助部材を挿入し、車道側の側面に形成された開口部９の壁面に取付補助部材の筒部１４の端部を溶接等で接合する。
【０２２４】
そして、ブラケット１２を支柱の開口部の壁面に接合されている円錐台状の取付補助部材の筒部１４に内挿する。その後、歩道側の支柱の側面の開口部１０から、取付補助部材の垂直壁２４の貫通孔を通して、ブラケットの垂直壁２２のねじ穴にブラケット固定ボルト４を水平方向に挿入し、締め付けることで、取付補助部材１４を介してブラケット１２を支柱２に固定する。
【０２２５】
なお、保持部材の保持部１１へのインナースリーブ８及び横桟３の端部の取付手順は、実施例１３と同様である。すなわち、インナースリーブ８の片端部を横桟の端部３に内接して挿入する。このとき、インナースリーブに穿たれた保持部固定ボルト挿入孔３３と、横桟の端部に穿たれた固定ボルト挿入孔（図示せず）とを位置合わせをする。この位置合わせをしたまま、インナースリーブ８を内接した横桟３の端部を保持部１１の上に載置する。このとき、保持部に穿たれた横桟固定ボルト挿入孔２１とも位置合わせをする。そして、保持部１１と横桟３の端部とインナースリーブの３つの固定ボルト挿入孔に保持部の横桟固定ボルト６を通す。その後、インナースリーブ８の反対側の片端部に横桟の端部３を外挿する。同じように位置合わせをした保持部１１と横桟３の端部とインナースリーブの３つの固定ボルト挿入孔に保持部の横桟固定ボルト６を通して、ナット７との間で緩く締め付ける。その後、保持部の横桟固定ボルト６と横桟固定ナット７の間を締め付けることによって固定する。
【０２２６】
そして、図４２に示す保持部材１１と取付補助部材１３と固定ボルト４を用いて、複数の支柱に上下に２本の横桟を取り付けて得られた防護柵は、実施例１３の図３８〜３９と同様のものが得られる。勾配のある道路においても、支柱にブラケットを取り付ける際にブラケットは支柱に対して回転可能であるので、支柱への取付作業が容易であるとともに、すっきりした外観の防護柵が得られる。横桟の本数を増減しても、すっきりした外観が得られる。横桟の本数を増減しても、すっきりした外観が得られる。
【０２２７】
また、この実施例でも、取付補助部材の内面とブラケットの外面の断面形状はともに円形であって、取付補助部材の内面形状とブラケットの外面形状が適合するので、横桟又は横桟取付金具に車両が衝突したときに、その荷重を取付補助部材とブラケットの全体で堅固に受け止めることができる。また、取付補助部材を介して保持部材を支柱に取り付ける際に使用するブラケット固定ボルトは、全体が支柱内に収容されるから、支柱の歩道側に突き出ることはない。
【産業上の利用可能性】
【０２２８】
本発明は、取付ボルトが支柱の歩道側に突き出ることがなく、しかも、車両が衝突しても変形しにくい横桟取付金具及びそれを用いた防護柵を提供する。また、ブラケットの外面が円筒状又は円錐台状の形状を有する場合には、道路の勾配にあわせて支柱への取付角度を調整することができるので、支柱への取付作業が容易な横桟取付金具及びそれを用いた防護柵を提供することができる。
【図面の簡単な説明】
【０２２９】
【図１】本発明に係る横桟取付金具に用いる保持部材の一例を示す。(a)は正面図、(b)は(a)のＡ−Ａ断面図（右側面図）、(c)は(a)のＢ−Ｂ断面図（上面図）、(d)は背面図である。
【図２】本発明に係る横桟取付金具に用いる取付補助部材の一例を示す。(a)は正面図、(b)は(a)のＡ−Ａ断面図（右側面図）、(c)は(a)のＢ−Ｂ断面図（上面図）、(d)は背面図である。
【図３】図１に示す保持部材１と図２に示す取付補助部材１３を用いて、固定ボルトにより、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【図４】図３に示す保持部材１１と取付補助部材１３と固定ボルト４を用いて、上下に２本の横桟を複数の支柱に取り付けて得られた防護柵（支柱の一部は地中に埋められている）を車道側から眺めた図である。
【図５】図４に示す防護柵を、勾配のある道路において、設置した防護柵（支柱の一部は地中に埋められている）の状態を示す。
【図６】本発明に係る横桟取付金具に用いる保持部材の他の一例を示す。(a)は正面図、(b)は(a)のＡ−Ａ断面図（右側面図）、(c)は(a)のＢ−Ｂ断面図（上面図）、(d)は背面図である。
【図７】本発明に係る横桟取付金具に用いる取付補助部材の他の一例を示す。(a)は正面図、(b)は(a)のＡ−Ａ断面図（右側面図）、(c)は(a)のＢ−Ｂ断面図（上面図）、(d)は背面図である。
【図８】図６に示す保持部材１と図７に示す取付補助部材１３を用いて、固定ボルトにより、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【図９】図８に示す保持部材１１と取付補助部材１３と固定ボルト４を用いて、上下に３本の横桟を複数の支柱に取り付けて得られた防護柵（支柱の一部は地中に埋められている）を車道側から眺めた図である。
【図１０】図９に示す防護柵を、勾配のある道路において、設置した防護柵（支柱の一部は地中に埋められている）の状態を示す。
【図１１】本発明に係る横桟取付金具に用いる保持部材の他の一例を示す。(a)は正面図、(b)は(a)のＡ−Ａ断面図（右側面図）、(c)は(a)のＢ−Ｂ断面図（上面図）、(d)は背面図である。
【図１２】本発明に係る横桟取付金具に用いる取付補助部材の他の一例を示す。(a)は正面図、(b)は(a)のＡ−Ａ断面図（右側面図）、(c)は(a)のＢ−Ｂ断面図（上面図）、(d)は背面図である。
【図１３】図１１に示す保持部材１と図１２に示す取付補助部材１３を用いて、固定ボルトにより、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【図１４】本発明に係る横桟取付金具に用いる保持部材の他の一例を示す。(a)は正面図、(b)は(a)のＡ−Ａ断面図（右側面図）、(c)は(a)のＢ−Ｂ断面図（上面図）、(d)は(a)のＣ−Ｃ断面図（上面図）、(e)は背面図である
【図１５】本発明に係る横桟取付金具に用いる取付補助部材の他の一例を示す。(a)は正面図、(b)は(a)のＡ−Ａ断面図（右側面図）、(c)は(a)のＢ−Ｂ断面図（上面図）、(d)は背面図である。
【図１６】図１４に示す保持部材１と図１５に示す取付補助部材１３を用いて、固定ボルトにより、横桟を支柱に取り付けたときの１つの態様を示す。(a)は車道側からみた正面図、(b)は(a)のＡ−Ａ断面図（右側面図）、(c)は(a)のＢ−Ｂ断面図（上面図）、(d)は(a)のＣ−Ｃ断面図（上面図）、(e)は背面図である。
【図１７】図１６に示す保持部材１１と取付補助部材１３と固定ボルト４を用いて、上下に２本の横桟を複数の支柱に取り付けて得られた防護柵（支柱の一部は地中に埋められている）を車道側から眺めた図である。
【図１８】図１７に示す防護柵を、勾配のある道路において、設置した防護柵（支柱の一部は地中に埋められている）の状態を示す。
【図１９】図１４に示す保持部材１と図１５に示す取付補助部材１３を用いて、固定ボルトにより、横桟を支柱に取り付けたときの他の態様を示す。(a)は車道側からみた正面図、(b)は(a)のＡ−Ａ断面図（右側面図）、(c)は(a)のＢ−Ｂ断面図（上面図）、(d)は(a)のＣ−Ｃ断面図（上面図）、(e)は背面図である。
【図２０】本発明に係る横桟取付金具に用いる保持部材の他の一例を示す。(a)は正面図、(b)は(a)のＡ−Ａ断面図（右側面図）、(c)は(a)のＢ−Ｂ断面図（上面図）、(d)は背面図である。
【図２１】本発明に係る横桟取付金具に用いる取付補助部材の他の一例を示す。(a)は正面図、(b)は(a)のＡ−Ａ断面図（右側面図）、(c)は(a)のＢ−Ｂ断面図（上面図）、(d)は背面図である。
【図２２】図２０に示す保持部材１と図２１に示す取付補助部材１３を用いて、固定ボルト４により、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【図２３】本発明に係る保持部に設置するインナースリーブの一例を示すインナースリーブの断面図（正面図）である。
【図２４】図２３に示すインナースリーブを保持部材の保持部に設置して、図１に示す保持部材１と図２に示す取付補助部材１３と固定ボルト４により、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【図２５】図２４に示す保持部材１１と取付補助部材１３と固定ボルト４を用いて、上下に２本の横桟を複数の支柱に取り付けて得られた防護柵（支柱の一部は地中に埋められている）を車道側から眺めた図である。
【図２６】図２５に示す防護柵を、勾配のある道路において、設置した防護柵（支柱の一部は地中に埋められている）の状態を示す。
【図２７】図２３に示すインナースリーブを保持部材の保持部に設置して、図６に示す保持部材１と図７に示す取付補助部材１３と固定ボルト４により、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【図２８】図２３に示すインナースリーブを保持部材の保持部に設置して、図１１に示す保持部材１と図１２に示す取付補助部材１３と固定ボルト４により、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【図２９】図２３に示すインナースリーブを保持部材の保持部に設置して、図１４に示す保持部材１と図１５に示す取付補助部材１３と固定ボルト４により、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は(a)のＣ−Ｃ断面図（上面図）、(e)は背面図である。
【図３０】図２９に示す保持部材１１と取付補助部材１３と固定ボルト４を用いて、上下に２本の横桟を複数の支柱に取り付けて得られた防護柵（支柱の一部は地中に埋められている）を車道側から眺めた図である。
【図３１】図３０に示す防護柵を、勾配のある道路において、設置した防護柵（支柱の一部は地中に埋められている）の状態を示す。
【図３２】図２３に示すインナースリーブを保持部材の保持部に設置して、図１４に示す保持部材１と図１５に示す取付補助部材１３と固定ボルト４により、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は(a)のＣ−Ｃ断面図（上面図）、(e)は背面図である。
【図３３】図２３に示すインナースリーブを保持部材の保持部に設置して、図２０に示す保持部材１と図２１に示す取付補助部材１３と固定ボルト４により、横桟を支柱に取り付けたときの状態を示す。(a)は正面図、(b)は(a)のＡ−Ａ断面図（右側面図）、(c)は(a)のＢ−Ｂ断面図（上面図）、(d)は背面図である。
【図３４】本発明に係る保持部に設置するインナースリーブの他の例を示すインナースリーブの断面図（正面図）である。
【図３５】本発明に係る横桟取付金具に用いる保持部材の一例を示す。(a)は正面図、(b)は(a)のＡ−Ａ断面図（右側面図）、(c)は(a)のＢ−Ｂ断面図（上面図）、(d)は背面図である。
【図３６】本発明に係る横桟取付金具に用いる取付補助部材の一例を示す。(a)は正面図、(b)は(a)のＡ−Ａ断面図（右側面図）、(c)は(a)のＢ−Ｂ断面図（上面図）、(d)は背面図である。
【図３７】図３４に示すインナースリーブを保持部材の保持部に設置して、図３５に示す保持部材１と図３６に示す取付補助部材１３を用いて、固定ボルトにより、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【図３８】図３７に示す保持部材１１と取付補助部材１３と固定ボルト４を用いて、上下に２本の横桟を複数の支柱に取り付けて得られた防護柵（支柱の一部は地中に埋められている）を車道側から眺めた図である。
【図３９】図３８に示す防護柵を、勾配のある道路において、設置した防護柵（支柱の一部は地中に埋められている）の状態を示す。
【図４０】本発明に係る横桟取付金具に用いる保持部材の他の例を示す。(a)は正面図、(b)は(a)のＡ−Ａ断面図（右側面図）、(c)は(a)のＢ−Ｂ断面図（上面図）、(d)は背面図である。
【図４１】本発明に係る横桟取付金具に用いる取付補助部材の一例を示す。(a)は正面図、(b)は(a)のＡ−Ａ断面図（右側面図）、(c)は(a)のＢ−Ｂ断面図（上面図）、(d)は背面図である。
【図４２】図３４に示すインナースリーブを保持部材の保持部に設置して、図４０に示す保持部材１と図４１に示す取付補助部材１３を用いて、固定ボルトにより、横桟を支柱に取り付けたときの状態を示す。(a)は車道側からみた正面図、(b)は(a)のＡ−Ａ断面図（右側面図）、(c)は(a)のＢ−Ｂ断面図（上面図）、(d)は背面図である。
【符号の説明】
【０２３０】
１  保持部材
２  支柱
３  横桟
４  ブラケット固定ボルト
５  ブラケット固定ナット
６  保持部の横桟固定ボルト
７  保持部の横桟固定ナット
８  インナースリーブ
９  支柱側面のブラケット挿入孔
１０  支柱側面のボルト挿入孔
１１  保持部
１２  ブラケット
１３  取付補助部材
１４  取付補助部材の筒部
１６  インナースリーブの横桟固定雌ねじ
１７  インナースリーブの横桟固定ボルト
１８  接続部
１９  インナースリーブの保持部固定雌ねじ
２０  インナースリーブの横桟固定ナット
２１  保持部の横桟固定用ボルト挿入孔
２２  ブラケットの垂直壁
２３  ブラケットの垂直壁の貫通孔
２４  取付補助部材の垂直壁
２５  取付補助部材の垂直壁の貫通孔
２６  取付補助部材の垂直壁のねじ穴
２７  ブラケットの垂直壁のねじ穴
３１  ブラケットの垂直壁の凸部
３２  取付補助部材の垂直壁の凹部
３３  インナースリーブの保持部固定ボルト挿入孔
【図１】
0004424613.tif 000002
【図２】
0004424613.tif 000003
【図３】
0004424613.tif 000004
【図４】
0004424613.tif 000005
【図５】
0004424613.tif 000006
【図６】
0004424613.tif 000007
【図７】
0004424613.tif 000008
【図８】
0004424613.tif 000009
【図９】
0004424613.tif 000010
【図１０】
0004424613.tif 000011
【図１１】
0004424613.tif 000012
【図１２】
0004424613.tif 000013
【図１３】
0004424613.tif 000014
【図１４】
0004424613.tif 000015
【図１５】
0004424613.tif 000016
【図１６】
0004424613.tif 000017
【図１７】
0004424613.tif 000018
【図１８】
0004424613.tif 000019
【図１９】
0004424613.tif 000020
【図２０】
0004424613.tif 000021
【図２１】
0004424613.tif 000022
【図２２】
0004424613.tif 000023
【図２３】
0004424613.tif 000024
【図２４】
0004424613.tif 000025
【図２５】
0004424613.tif 000026
【図２６】
0004424613.tif 000027
【図２７】
0004424613.tif 000028
【図２８】
0004424613.tif 000029
【図２９】
0004424613.tif 000030
【図３０】
0004424613.tif 000031
【図３１】
0004424613.tif 000032
【図３２】
0004424613.tif 000033
【図３３】
0004424613.tif 000034
【図３４】
0004424613.tif 000035
【図３５】
0004424613.tif 000036
【図３６】
0004424613.tif 000037
【図３７】
0004424613.tif 000038
【図３８】
0004424613.tif 000039
【図３９】
0004424613.tif 000040
【図４０】
0004424613.tif 000041
【図４１】
0004424613.tif 000042
【図４２】
0004424613.tif 000043